(57)【特許請求の範囲】
【請求項１】
携帯端末に格納される携帯端末格納プログラムであって、
娯楽的要素を含む、以下の(a1)、(a2)、または、(a3)の遊技プログラムを含み、
(a1)交通機関を利用するという行為を開始してから終了するまでの乗車時間を活用して利用者が利用するための第１の遊技プログラム；
(a2)待ち合わせという行為を開始してから終了するまでの待ち時間を活用して利用者が利用するための第２の遊技プログラム；または
(a3)喫煙という行為を開始してから終了するまでの喫煙時間を活用して利用者が利用するための第３の遊技プログラム；
前記携帯端末を、
前記第１、第２、または第３の遊技プログラムの起動指示を受け付ける手段、
受け付けた前記第１、第２、または第３の遊技プログラムの前記起動指示に呼応して、前記第１、第２、または第３の遊技プログラムを実行する手段、
前記第１、第２、または第３の遊技プログラムを実行している間に、前記携帯端末の前記利用者が前記行為を開始する時に第１操作を受け付ける手段、
前記第１操作を受け付ける手段が前記第１操作を受け付けたときの時刻を第１時刻として取得する手段、
前記第１操作を受け付ける手段が前記第１操作を受け付けたことに呼応して、広告コンテンツを含む第１コンテンツを再生出力する手段、
前記第１コンテンツを再生出力している間に、前記携帯端末の前記利用者が前記行為を終了する時に第２操作を受け付ける手段、
前記第２操作を受け付ける手段が前記第２操作を受け付けたときの時刻を第２時刻として取得する手段、
前記第２時刻として取得する手段が前記第２時刻を取得したとき、該第２時刻の直前の前記第１時刻および当該第２時刻の間の経過時間を、前記乗車時間、前記待ち時間、または、前記喫煙時間として算出する手段、
前記第２操作を受け付ける手段が前記第２操作を受け付けたことに呼応して、前記第１時刻から前記第２時刻の間の経過時間毎に複数の第２コンテンツを対応付けた経過時間条件テーブルを参照し、前記経過時間を算出する手段が前記乗車時間、前記待ち時間、または前記喫煙時間として算出した前記経過時間に対応する、以下の(b1)、(b2)、または、(b3)の前記第２コンテンツを再生出力する手段、
(b1)  前記第１の遊技プログラムにおいて、前記乗車時間が標準乗車時間と合致した場合に付与されたインセンティブの情報を含む第２コンテンツ；
(b2)  前記第２の遊技プログラムにおいて、前記待ち時間に応じた占い結果を含む第２コンテンツ；または
(b3)  前記第３の遊技プログラムにおいて、前記喫煙時間に応じた占い結果を含む第２コンテンツ；
として機能させるための携帯端末格納プログラム。
【請求項２】
請求項１に記載の携帯端末格納プログラムにおいて、
前記携帯端末格納プログラムはサーバからネットワークを介してダウンロードされることを特徴とする携帯端末格納プログラム。
【請求項３】
請求項２に記載の携帯端末格納プログラムにおいて、
前記サーバは、前記第１コンテンツおよび前記第２コンテンツを記憶するコンテンツ記憶部を備え、
前記第１コンテンツおよび前記第２コンテンツは、前記サーバから前記ネットワークを介してダウンロードされることを特徴とする携帯端末格納プログラム。
【請求項４】
請求項１乃至３いずれかに記載の携帯端末格納プログラムにおいて、
前記携帯端末は、携帯電話機であることを特徴とする携帯端末格納プログラム。
【請求項５】
請求項１乃至４いずれかに記載の携帯端末格納プログラムにおいて、
前記第３の遊技プログラムが、前記利用者の前記喫煙時間に応じた占いを行うコンテンツであり、
前記広告コンテンツを含む前記第１コンテンツは、前記第３の遊技プログラムを実行しているときに、前記利用者の３〜５分の前記喫煙時間中に提供されるものであることを特徴とする携帯端末格納プログラム。
【請求項６】
複数の広告コンテンツを含む第１コンテンツおよび第２コンテンツ、ならびに、娯楽的要素を含む、以下の(a1)、(a2)、または、(a3)の遊技プログラムを記憶するコンテンツ記憶部と、
(a1)交通機関を利用するという行為を開始してから終了するまでの乗車時間を活用して利用者が利用するための第１の遊技プログラム；
(a2)待ち合わせという行為を開始してから終了するまでの待ち時間を活用して利用者が利用するための第２の遊技プログラム；または
(a3)喫煙という行為を開始してから終了するまでの喫煙時間を活用して利用者が利用するための第３の遊技プログラム；
前記第１、第２、または第３の遊技プログラムの起動指示を受け付ける起動指示受付部と、
受け付けた前記第１、第２、または第３の遊技プログラムの前記起動指示に呼応して、前記第１、第２、または第３の遊技プログラムを実行する遊技プログラム実行部と、
前記第１、第２、または第３の遊技プログラムを実行している間に、前記利用者が前記行為を開始する時に第１操作を受け付ける第１操作受付部と、
前記第１操作受付部が前記第１操作を受け付けたときの時刻を第１時刻として取得する第１時刻取得部と、
前記第１操作受付部が前記第１操作を受け付けたことに呼応して、前記広告コンテンツを含む前記第１コンテンツを再生出力する第１再生出力部と、
前記第１再生出力部が前記第１コンテンツを再生出力している間に、前記利用者が前記行為を終了する時に第２操作を受け付ける第２操作受付部と、
前記第２操作受付部が前記第２操作を受け付けたときの時刻を第２時刻として取得する第２時刻取得部と、
前記第１時刻から前記第２時刻の間の経過時間毎に複数の前記第２コンテンツを対応付けた経過時間条件テーブルと、
前記第２時刻取得部が前記第２時刻を取得したとき、該第２時刻の直前の前記第１時刻および当該第２時刻の間の経過時間を、前記乗車時間、前記待ち時間、または、前記喫煙時間として算出する経過時間算出部と、
前記経過時間条件テーブルを参照し、前記経過時間算出部が前記乗車時間、前記待ち時間、または前記喫煙時間として算出した前記経過時間に対応する、以下の(b1)、(b2)、または、(b3)の前記第２コンテンツを再生出力する第２再生出力部と、
(b1)  前記第１の遊技プログラムにおいて、前記乗車時間が標準乗車時間と合致した場合に付与されたインセンティブの情報を含む第２コンテンツ；
(b2)  前記第２の遊技プログラムにおいて、前記待ち時間に応じた占い結果を含む第２コンテンツ；または
(b3)  前記第３の遊技プログラムにおいて、前記喫煙時間に応じた占い結果を含む第２コンテンツ；
を備えることを特徴とする携帯端末。
【請求項７】
請求項６に記載の携帯端末において、
前記第１コンテンツおよび前記第２コンテンツを記憶するコンテンツ記憶部を備えるサーバにネットワークを介して接続する接続部と、
前記第１コンテンツおよび前記第２コンテンツを、前記サーバから前記ネットワークを介してダウンロードするダウンロード部と、をさらに備えることを特徴とする携帯端末。
【請求項８】
携帯電話機であることを特徴とする請求項６または７に記載の携帯端末。
【請求項９】
請求項６乃至８いずれかに記載の携帯端末において、
前記第３の遊技プログラムが、前記利用者の前記喫煙時間に応じた占いを行うコンテンツであり、
前記広告コンテンツを含む前記第１コンテンツは、前記第３の遊技プログラムを実行しているときに、前記利用者の３〜５分の前記喫煙時間中に提供されるものであることを特徴とする携帯端末。
【請求項１０】
携帯端末と、
複数の広告コンテンツを含む第１コンテンツおよび第２コンテンツ、ならびに、娯楽的要素を含む、以下の(a1)、(a2)、または、(a3)の遊技プログラムを記憶するコンテンツ記憶部を有するサーバと、を備え、
(a1)交通機関を利用するという行為を開始してから終了するまでの乗車時間を活用して利用者が利用するための第１の遊技プログラム；
(a2)待ち合わせという行為を開始してから終了するまでの待ち時間を活用して利用者が利用するための第２の遊技プログラム；または
(a3)喫煙という行為を開始してから終了するまでの喫煙時間を活用して利用者が利用するための第３の遊技プログラム；
前記携帯端末は、
前記サーバから受信した前記第１コンテンツ、前記第２コンテンツ、および前記第１、第２、または第３の遊技プログラムを記憶するコンテンツ格納部と、
前記第１、第２、または第３の遊技プログラムの起動指示を受け付ける起動指示受付部と、
受け付けた前記第１、第２、または第３の遊技プログラムの前記起動指示に呼応して、前記第１、第２、または第３の遊技プログラムを実行する遊技プログラム実行部と、
前記第１、第２、または第３の遊技プログラムを実行している間に、前記利用者が前記行為を開始する時に第１操作を受け付ける第１操作受付部と、
前記第１操作受付部が前記第１操作を受け付けたときの時刻を取得を第１時刻として取得する第１時刻取得部と、
前記第１操作受付部が前記第１操作を受け付けたことに呼応して、前記第１時刻を含む前記第１コンテンツの要求を前記サーバに送信する第１コンテンツ要求部と、
前記第１コンテンツを前記サーバから受信し、前記コンテンツ格納部に記憶する第１受信部と、
前記サーバから受信した前記第１コンテンツを再生出力する第１再生出力部と、
前記第１再生出力部が前記第１コンテンツを再生出力している間に、前記利用者が前記行為を終了する時に第２操作を受け付ける第２操作受付部と、
前記第２操作受付部が前記第２操作を受け付けたときの時刻を第２時刻として取得する第２時刻取得部と、
前記第２操作受付部が前記第２操作を受け付けたことに呼応して、前記第２時刻を含む前記第２コンテンツの要求を前記サーバに送信する第２コンテンツ要求部と、
前記第２コンテンツを前記サーバから受信し、前記コンテンツ格納部に記憶する第２受信部と、
前記サーバから受信した前記第２コンテンツを再生出力する第２再生出力部と、を備え、
前記サーバは、
前記携帯端末から、前記第１コンテンツまたは前記第２コンテンツの要求を受け付ける要求受付部と、
時刻毎に複数の第１コンテンツを対応付けた第１条件テーブルと、
前記遊技プログラムを実行している前記携帯端末から前記要求受付部が前記第１コンテンツの要求を受け付けたとき、前記第１コンテンツの要求に含まれる前記第１時刻を取得し、前記第１条件テーブルを参照し、前記第１時刻に対応する第１コンテンツを前記携帯端末に配信する第１配信部と、
前記遊技プログラムを実行している前記携帯端末から前記要求受付部が前記第２コンテンツの要求を受け付けたとき、前記第２コンテンツの要求に含まれる前記第２時刻を取得し、該第２時刻の直前の前記第１時刻および当該第２時刻の間の経過時間を、前記乗車時間、前記待ち時間、または、前記喫煙時間として算出する経過時間算出部と、
前記第１時刻から前記第２時刻の間の経過時間毎に複数の第２コンテンツを対応付けた経過時間条件テーブルと、
前記経過時間条件テーブルを参照し、前記経過時間算出部が前記乗車時間、前記待ち時間、または前記喫煙時間として算出した前記経過時間に対応する、以下の(b1)、(b2)、または、(b3)の前記第２コンテンツを前記携帯端末に配信する第２配信部と、
(b1)  前記第１の遊技プログラムにおいて、前記乗車時間が標準乗車時間と合致した場合に付与されたインセンティブの情報を含む第２コンテンツ；
(b2)  前記第２の遊技プログラムにおいて、前記待ち時間に応じた占い結果を含む第２コンテンツ；または
(b3)  前記第３の遊技プログラムにおいて、前記喫煙時間に応じた占い結果を含む第２コンテンツ；
を備えることを特徴とするコンテンツ配信システム。
【発明の詳細な説明】
【技術分野】
【０００１】
本発明は、携帯端末および携帯端末格納プログラムに関し、特に、携帯端末に配信され、出力される広告を含むモバイルデジタルコンテンツ配信技術に関する。
【背景技術】
【０００２】
近年、携帯電話機は一般に広く普及し、日常に欠かせないツールの一つになってきている。また急速な周辺技術進歩に伴い、携帯電話機の性能は飛躍的に向上し、高機能化し続けている。そして携帯電話機本来の電話機能以外に、テレビ電話、メール送受信、ウェブサイトアクセス、データ通信、メッセンジャーなどのコミュニケーション機能、電子マネー機能、ＧＰＳ機能、テレビ視聴機能、電子キー機能など様々な機能が携帯電話機に搭載されるようになった。また、携帯電話に対する様々なサービス展開も発展途上にあり、特に、携帯電話機に対する様々なモバイルデジタルコンテンツ配信サービスが、その需要の増加とともに急速に発展してきている。
【０００３】
また、通信技術の進歩により、携帯電話機もブロードバンド化による高速化が急速に進んでいる。通信速度の高速化により、携帯電話機での動画像配信および再生も可能となり、さらには、ライブ映像の配信および再生も可能となってきている。
【０００４】
モバイルデジタルコンテンツとしては、たとえば、着信メロディ、着信ムービー、待受画面、待受アプリ、ゲーム、デジタルラジオ放送、ポータルサイト、学習、ショッピング、占い、運勢、診断、ニュース、各種情報提供など多岐にわたる。
【０００５】
従来のコンテンツダウンロード方法としては、例えば特許文献１に記載されたものがある。同文献に記載されたコンテンツダウンロード方法は、コンテンツデータのダウンロード要求時に、広告データの表示を行い、コンテンツダウンロード時間を有効活用するものである。
【特許文献１】特開２００５−２９３３２８号公報
【発明の開示】
【発明が解決しようとする課題】
【０００６】
ところで、従来のメディア（新聞、雑誌、テレビ、ラジオ、ダイレクトメール）を活用した宣伝では、ＡＩＤＭＡ(アイドマ：消費者が購買に至るまでの行動分析。Ａ：アテンション、Ｉ：インタレスト、Ｄ：デザイアー、Ｍ：メモリ、Ａ：アクション）の観点から考察した場合、各メディアのプロセスが機能独立・分断型であり、それぞれの要素を最適化する方法論（マーケティングミックス）がとられていた。
【０００７】
しかし、携帯キャリア（モバイル）を活用した場合、そのキャリアがキャリア保持者にもたらすパーソナル性、インタラクティブ性、リアルタイム性、およびポータブル性の強みから、既存の方法論との組み合わせにより、ＡＩＤＭＡの流れを最初から最後まで一気通貫させて購買までをさせることが可能となる。
【０００８】
一方、従来の携帯キャリア上の広告表示は、インターネット（パソコン表示画面）におけるバナー広告を踏襲したものが大半であり、極めて静的なものとなっている。
【０００９】
また、携帯電話にデリバリされるコンテンツにおいては、ゲーム等の動的なものと、占い等のパラメータ条件に合致したコンテンツ内容を表示する静的なものとに大別されている。その中でも、後者のジャンルにおいては、狭義のジャンル内で様々なコンテンツを形成したり、コングロマリット化の流れに即して、短期間にコンテンツサイトの構築を図る企業が登場してきている。
【００１０】
しかし、この静的なコンテンツに関わるアプリケーション等のサービスにおいては、コンテンツの定性的な内容を深堀したモノが多いものの、インプットからアウトプットへの構造自体に技術を加えて、コンテンツを支える構造自体に変化や斬新さを求めているものが極めて少ない状況にある。
【００１１】
また、従来のモバイルコンテンツにおける広告表示は、たとえば、バナー広告やリンクなどによるものが主流であり、広告としての魅力に欠け、モバイルコンテンツにおける顧客訴求力の低下の一因となっていた。
【００１２】
本発明は上記事情に鑑みてなされたものであり、その目的とするところは、モバイルデジタルコンテンツ提供時に顧客訴求力のある宣伝広告表示を効果的に行い、広告効果を向上させることができるコンテンツ配信システムを提供することにある。
【課題を解決するための手段】
【００１３】
本発明によれば、携帯端末に格納される携帯端末格納プログラムであって、
娯楽的要素を含む、以下の(a1)、(a2)、または、(a3)の遊技プログラムを含み、
(a1)交通機関を利用するという行為を開始してから終了するまでの乗車時間を活用して利用者が利用するための第１の遊技プログラム；
(a2)待ち合わせという行為を開始してから終了するまでの待ち時間を活用して利用者が利用するための第２の遊技プログラム；または
(a3)喫煙という行為を開始してから終了するまでの喫煙時間を活用して利用者が利用するための第３の遊技プログラム；
前記携帯端末を、
前記第１、第２、または第３の遊技プログラムの起動指示を受け付ける手段、
受け付けた前記第１、第２、または第３の遊技プログラムの前記起動指示に呼応して、前記第１、第２、または第３の遊技プログラムを実行する手段、
前記第１、第２、または第３の遊技プログラムを実行している間に、前記携帯端末の前記利用者が前記行為を開始する時に第１操作を受け付ける手段、
前記第１操作を受け付ける手段が前記第１操作を受け付けたときの時刻を第１時刻として取得する手段、
前記第１操作を受け付ける手段が前記第１操作を受け付けたことに呼応して、広告コンテンツを含む第１コンテンツを再生出力する手段、
前記第１コンテンツを再生出力している間に、前記携帯端末の前記利用者が前記行為を終了する時に第２操作を受け付ける手段、
前記第２操作を受け付ける手段が前記第２操作を受け付けたときの時刻を第２時刻として取得する手段、
前記第２時刻として取得する手段が前記第２時刻を取得したとき、該第２時刻の直前の前記第１時刻および当該第２時刻の間の経過時間を、前記乗車時間、前記待ち時間、または、前記喫煙時間として算出する手段、
前記第２操作を受け付ける手段が前記第２操作を受け付けたことに呼応して、前記第１時刻から前記第２時刻の間の経過時間毎に複数の第２コンテンツを対応付けた経過時間条件テーブルを参照し、前記経過時間を算出する手段が前記乗車時間、前記待ち時間、または前記喫煙時間として算出した前記経過時間に対応する、以下の(b1)、(b2)、または、(b3)の前記第２コンテンツを再生出力する手段、
(b1)  前記第１の遊技プログラムにおいて、前記乗車時間が標準乗車時間と合致した場合に付与されたインセンティブの情報を含む第２コンテンツ；
(b2)  前記第２の遊技プログラムにおいて、前記待ち時間に応じた占い結果を含む第２コンテンツ；または
(b3)  前記第３の遊技プログラムにおいて、前記喫煙時間に応じた占い結果を含む第２コンテンツ；
として機能させるための携帯端末格納プログラムが提供される。
【００１４】
この発明によれば、コンテンツ決定および表示条件が時系列的判定であるとともに、コンテンツを再生時、時系列判定の時間的制約の中で、利用者が注視している画面上に広告表示などの画像で提供することができるので、モバイルデジタルコンテンツ提供時に顧客訴求力のある宣伝広告表示を効果的に行い、広告効果を向上させることができる。
【００１７】
上記携帯端末格納プログラムにおいて、前記携帯端末格納プログラムはサーバからネットワークを介してダウンロードされることができる。
【００１８】
上記携帯端末格納プログラムにおいて、前記サーバは、前記第１コンテンツおよび前記第２コンテンツを記憶するコンテンツ記憶部を備えることができ、前記第１コンテンツおよび前記第２コンテンツは、前記サーバから前記ネットワークを介してダウンロードされることができる。
【００３５】
上記携帯端末格納プログラムにおいて、前記携帯端末は、携帯電話機とすることができる。
【００３６】
上記携帯端末格納プログラムにおいて、前記第３の遊技プログラムが、前記利用者の前記喫煙時間に応じた占いを行うコンテンツであり、前記広告コンテンツを含む前記第１コンテンツは、前記第３の遊技プログラムを実行しているときに、前記利用者の３〜５分の前記喫煙時間中に提供されるものとすることができる。
【００３７】
本発明によれば、複数の広告コンテンツを含む第１コンテンツおよび第２コンテンツ、ならびに、娯楽的要素を含む、以下の(a1)、(a2)、または、(a3)の遊技プログラムを記憶するコンテンツ記憶部と、
(a1)交通機関を利用するという行為を開始してから終了するまでの乗車時間を活用して利用者が利用するための第１の遊技プログラム；
(a2)待ち合わせという行為を開始してから終了するまでの待ち時間を活用して利用者が利用するための第２の遊技プログラム；または
(a3)喫煙という行為を開始してから終了するまでの喫煙時間を活用して利用者が利用するための第３の遊技プログラム；
前記第１、第２、または第３の遊技プログラムの起動指示を受け付ける起動指示受付部と、
受け付けた前記第１、第２、または第３の遊技プログラムの前記起動指示に呼応して、前記第１、第２、または第３の遊技プログラムを実行する遊技プログラム実行部と、
前記第１、第２、または第３の遊技プログラムを実行している間に、前記利用者が前記行為を開始する時に第１操作を受け付ける第１操作受付部と、
前記第１操作受付部が前記第１操作を受け付けたときの時刻を第１時刻として取得する第１時刻取得部と、
前記第１操作受付部が前記第１操作を受け付けたことに呼応して、前記広告コンテンツを含む前記第１コンテンツを再生出力する第１再生出力部と、
前記第１再生出力部が前記第１コンテンツを再生出力している間に、前記利用者が前記行為を終了する時に第２操作を受け付ける第２操作受付部と、
前記第２操作受付部が前記第２操作を受け付けたときの時刻を第２時刻として取得する第２時刻取得部と、
前記第１時刻から前記第２時刻の間の経過時間毎に複数の前記第２コンテンツを対応付けた経過時間条件テーブルと、
前記第２時刻取得部が前記第２時刻を取得したとき、該第２時刻の直前の前記第１時刻および当該第２時刻の間の経過時間を、前記乗車時間、前記待ち時間、または、前記喫煙時間として算出する経過時間算出部と、
前記経過時間条件テーブルを参照し、前記経過時間算出部が前記乗車時間、前記待ち時間、または前記喫煙時間として算出した前記経過時間に対応する、以下の(b1)、(b2)、または、(b3)の前記第２コンテンツを再生出力する第２再生出力部と、
(b1)  前記第１の遊技プログラムにおいて、前記乗車時間が標準乗車時間と合致した場合に付与されたインセンティブの情報を含む第２コンテンツ；
(b2)  前記第２の遊技プログラムにおいて、前記待ち時間に応じた占い結果を含む第２コンテンツ；または
(b3)  前記第３の遊技プログラムにおいて、前記喫煙時間に応じた占い結果を含む第２コンテンツ；
を備えることを特徴とする携帯端末が提供される。
【００４１】
本発明によれば、携帯端末と、
複数の広告コンテンツを含む第１コンテンツおよび第２コンテンツ、ならびに、娯楽的要素を含む、以下の(a1)、(a2)、または、(a3)の遊技プログラムを記憶するコンテンツ記憶部を有するサーバと、を備え、
(a1)交通機関を利用するという行為を開始してから終了するまでの乗車時間を活用して利用者が利用するための第１の遊技プログラム；
(a2)待ち合わせという行為を開始してから終了するまでの待ち時間を活用して利用者が利用するための第２の遊技プログラム；または
(a3)喫煙という行為を開始してから終了するまでの喫煙時間を活用して利用者が利用するための第３の遊技プログラム；
前記携帯端末は、
前記サーバから受信した前記第１コンテンツ、前記第２コンテンツ、および前記第１、第２、または第３の遊技プログラムを記憶するコンテンツ格納部と、
前記第１、第２、または第３の遊技プログラムの起動指示を受け付ける起動指示受付部と、
受け付けた前記第１、第２、または第３の遊技プログラムの前記起動指示に呼応して、前記第１、第２、または第３の遊技プログラムを実行する遊技プログラム実行部と、
前記第１、第２、または第３の遊技プログラムを実行している間に、前記利用者が前記行為を開始する時に第１操作を受け付ける第１操作受付部と、
前記第１操作受付部が前記第１操作を受け付けたときの時刻を取得を第１時刻として取得する第１時刻取得部と、
前記第１操作受付部が前記第１操作を受け付けたことに呼応して、前記第１時刻を含む前記第１コンテンツの要求を前記サーバに送信する第１コンテンツ要求部と、
前記第１コンテンツを前記サーバから受信し、前記コンテンツ格納部に記憶する第１受信部と、
前記サーバから受信した前記第１コンテンツを再生出力する第１再生出力部と、
前記第１再生出力部が前記第１コンテンツを再生出力している間に、前記利用者が前記行為を終了する時に第２操作を受け付ける第２操作受付部と、
前記第２操作受付部が前記第２操作を受け付けたときの時刻を第２時刻として取得する第２時刻取得部と、
前記第２操作受付部が前記第２操作を受け付けたことに呼応して、前記第２時刻を含む前記第２コンテンツの要求を前記サーバに送信する第２コンテンツ要求部と、
前記第２コンテンツを前記サーバから受信し、前記コンテンツ格納部に記憶する第２受信部と、
前記サーバから受信した前記第２コンテンツを再生出力する第２再生出力部と、を備え、
前記サーバは、
前記携帯端末から、前記第１コンテンツまたは前記第２コンテンツの要求を受け付ける要求受付部と、
時刻毎に複数の第１コンテンツを対応付けた第１条件テーブルと、
前記遊技プログラムを実行している前記携帯端末から前記要求受付部が前記第１コンテンツの要求を受け付けたとき、前記第１コンテンツの要求に含まれる前記第１時刻を取得し、前記第１条件テーブルを参照し、前記第１時刻に対応する第１コンテンツを前記携帯端末に配信する第１配信部と、
前記遊技プログラムを実行している前記携帯端末から前記要求受付部が前記第２コンテンツの要求を受け付けたとき、前記第２コンテンツの要求に含まれる前記第２時刻を取得し、該第２時刻の直前の前記第１時刻および当該第２時刻の間の経過時間を、前記乗車時間、前記待ち時間、または、前記喫煙時間として算出する経過時間算出部と、
前記第１時刻から前記第２時刻の間の経過時間毎に複数の第２コンテンツを対応付けた経過時間条件テーブルと、
前記経過時間条件テーブルを参照し、前記経過時間算出部が前記乗車時間、前記待ち時間、または前記喫煙時間として算出した前記経過時間に対応する、以下の(b1)、(b2)、または、(b3)の前記第２コンテンツを前記携帯端末に配信する第２配信部と、
(b1)  前記第１の遊技プログラムにおいて、前記乗車時間が標準乗車時間と合致した場合に付与されたインセンティブの情報を含む第２コンテンツ；
(b2)  前記第２の遊技プログラムにおいて、前記待ち時間に応じた占い結果を含む第２コンテンツ；または
(b3)  前記第３の遊技プログラムにおいて、前記喫煙時間に応じた占い結果を含む第２コンテンツ；
を備えることを特徴とするコンテンツ配信システムが提供される。
【００４２】
以上、本発明の構成について説明したが、これらの各構成の任意の組合せや、本発明の表現を方法、装置、システム、記録媒体、コンピュータプログラムなどの間で変換したものもまた、本発明の態様として有効である。
【発明の効果】
【００４３】
本発明によれば、モバイルデジタルコンテンツ提供時に顧客訴求力のある宣伝広告表示を効果的に行い、広告効果を向上させることができるコンテンツ配信システムが提供される。
【発明を実施するための最良の形態】
【００４４】
以下、本発明の実施の形態について、図面を用いて説明する。尚、すべての図面において、同様な構成要素には同様の符号を付し、適宜説明を省略する。
【００４５】
（第一の実施の形態）
図１は、本発明の実施の形態に係るコンテンツ配信システムの構成を示す概略ブロック図である。本実施形態のコンテンツ配信システム１は、利用者６０が携行する携帯端末（携帯電話機１００）と、携帯端末（携帯電話機１００）が実行可能なコンテンツを記憶するコンテンツ記憶装置（コンテンツ記憶部１０）と、コンテンツを携帯端末（携帯電話機１００）にネットワーク２０を介して配信するコンテンツ配信サーバ２００と、を備える。本発明の実施の形態において、携帯端末は、携帯電話機１００であるのが好ましい。コンテンツ配信サーバ２００は、ネットワーク２０を介して接続される基地局２２を介して携帯電話機１００と無線通信する。以下の説明において、基地局２２は省略し、携帯電話機１００はネットワーク２０を介してコンテンツ配信サーバ２００と通信するものとして説明する。
【００４６】
本発明のコンテンツ配信システム１における各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００４７】
本実施形態のコンテンツ配信システム１は、モバイルデジタルコンテンツをコンテンツ配信サーバ２００から利用者６０が携行する携帯電話機１００に提供し、携帯電話機１００にて実行させる。モバイルデジタルコンテンツは、携帯電話機１００上で閲覧、再生、および動作させることが可能であり、たとえば、Ｊａｖａ（登録商標）アプリケーション、たとえば、ＮＴＴドコモのｉモード（登録商標）のｉアプリ（登録商標）、ａｕのＥＺアプリ（ＢＲＥＷ（登録商標））、ボーダフォンのＶアプリ（登録商標）などによって実現することができる。Ｊａｖａ（登録商標）アプリケーションプログラムによって、たとえば、携帯電話機１００の液晶表示装置（ＬＣＤ：Liquid Crystal Display）上への画像再生と同時に、ＬＥＤ（Light Emitting Diode）の点灯点滅制御や音声出力制御、あるいはバイブレータの振動制御などを行うことができ、より臨場感のあるコンテンツの提供を行うことが可能である。あるいは、ネットワーク２０に必要に応じて接続し、リアルタイムに更新される情報の携帯電話機１００への提供を行うことが可能である。たとえば、ＬＥＤ駆動制御やバイブレータ制御機能を有する音源ＬＳＩを備えることにより、簡単にこれらを実現することができる。
【００４８】
本実施形態において、携帯電話機１００にてアプリケーションプログラムが実行されると、さらに、利用者の操作キーの操作のタイミングに応じて変化する画像、動画像、音声、楽曲などのコンテンツや、ゲームなどのアプリケーションプログラムなどを携帯電話機１００に配信し、実行させることができる。さらに、操作のタイミングに応じて決定されるインセンティブを携帯電話機１００の利用者６０に提供させることもできる。あるいは、操作のタイミングに応じて結果が導かれる占いなどの情報提供コンテンツを携帯電話機１００に配信し、実行させることもできる。
【００４９】
本実施形態において、各コンテンツは、ネットワーク上で端末に配信される情報、アプリケーションプログラムおよびサービスであり、たとえば、ニュースや各種情報、イメージ、動画、音楽、ゲーム、ツール、地図、電子書籍やデータベース、ポータルサイト、検索サービス、およびこれらの組み合わせが含まれる。
【００５０】
図２は、本実施形態の携帯電話機１００のハードウェア構成を示すブロック図である。携帯電話機１００は、ＣＰＵ（Central Processing Unit）１０２と、アンテナ１０４と、無線通信部１０６と、ＲＯＭ（Read Only Memory）１０８と、ＲＡＭ（Random Access Memory）１１０と、計時部１１２と、操作キー１１４と、操作受付部１１６と、ＬＣＤ１１８と、ＬＥＤ１２０と、表示制御部１２２と、スピーカ１２４と、音声出力制御部１２６と、振動部１２８と、振動制御部１３０と、ＧＰＳ受信部１３２と、を含む。ＣＰＵ１０２に、無線通信部１０６、ＲＯＭ１０８、ＲＡＭ１１０、計時部１１２、操作受付部１１６、表示制御部１２２、音声出力制御部１２６、振動制御部１３０、およびＧＰＳ受信部１３２は、バス１３４を介して接続される。
【００５１】
ＣＰＵ１０２は、ＲＯＭ１０８に記憶されたプログラムを実行し、携帯電話機１００の各種要素とともに装置全体を制御する。また、ＲＯＭ１０８には、携帯電話機１００に提供されたコンテンツ、およびコンテンツを動作させるのに必要なプログラムも記憶される。また、ＲＯＭ１０８は、たとえば、ＳＤメモリカード、コンパクトフラッシュ（登録商標）、メモリスティック（登録商標）など携帯電話機１００から脱着可能に装着されるカードタイプのメモリも含むことができる。
【００５２】
無線通信部１０６は、基地局２２とアンテナ１０４を介して無線通信し、コンテンツ配信サーバ２００と通信を行う。ＲＯＭ１０８は、この携帯電話機１００の全体の動作を制御するためのプログラムなどが記録される。
【００５３】
ＲＡＭ１１０は、ＣＰＵ１０２による制御に必要なデータおよび制御動作時に一時記憶が必要なデータなどを記憶する。ＲＯＭ１０８に記憶されているプログラムは一旦ＲＡＭ１１０にロードされ、ＲＡＭ１１０上で実行される。
【００５４】
計時部１１２は、現在時刻を計時する。操作キー１１４は、携帯電話機１００の操作面や側面などに設けられた複数のキー、ボタンを含む。操作受付部１１６は、利用者の操作キー１１４の操作を受け付ける。
【００５５】
ＬＣＤ１１８は、表示制御部１２２により制御されて、各種画面を表示する。ＬＥＤ１２０は、表示制御部１２２により点灯点滅制御される。表示制御部１２２は、ＣＰＵ１０２からの指示に従って、ＬＣＤ１１８およびＬＥＤ１２０の画面表示および点灯点滅制御を行う。
【００５６】
スピーカ１２４は、音声出力制御部１２６により制御され、音声出力を行う。音声出力制御部１２６は、ＣＰＵ１０２からの指示に従って、スピーカ１２４に音声出力を行う。
【００５７】
振動部１２８は、振動制御部１３０により制御され、所定の振動パターンで振動する。振動制御部１３０は、ＣＰＵ１０２からの指示に従って振動部１２８の振動を制御する。ＧＰＳ受信部１３２は、ＧＰＳ衛星からの電波を受信し、位置情報、たとえば、緯度、経度、高度などを取得する。
【００５８】
次に、携帯電話機１００で本実施形態の携帯端末格納プログラム（以後、アプリケーションプログラムと呼ぶ）が実行された時、どのような動作をするか画面構成に基づいて、概略説明する。図３は、本実施形態のアプリケーションプログラムを携帯電話機１００で実行した時の画面推移を示す図である。
【００５９】
図３に示すように、携帯電話機１００では、本実施形態のアプリケーションがコンテンツ配信サーバ２００からダウンロードされて実行されると携帯電話機１００のＬＣＤ１１８に第１コンテンツ画面８０が表示される。第１コンテンツ画面８０には、メインコンテンツ表示部８２と、開始ボタン８４とが含まれる。メインコンテンツ表示部８２には、たとえば、コンテンツＡが実行された結果が表示される。このとき、ＬＥＤ１２０の点灯点滅制御やスピーカ１２４から音声出力、振動部１２８の振動制御がなされてもよい。
【００６０】
第１コンテンツ画面８０が表示されている状態で、利用者６０が開始ボタン８４を押下すると、第２コンテンツ画面８８がＬＣＤ１１８に表示されることとなる。第２コンテンツ画面８８には、メインコンテンツ表示部９０と、終了ボタン９４とが含まれる。第２コンテンツ画面８８には、コンテンツＢが実行された結果が表示される。メインコンテンツ表示部９０は、その下部にＰＲ画像表示部９２を含むことができる。ＰＲ画像表示部９２には、たとえば、宣伝や広告内容を含む広告コンテンツが実行された結果を表示することができる。各コンテンツの実行において、ＬＣＤ１１８への表示だけでなく、ＬＥＤ１２０の点灯点滅制御やスピーカ１２４から音声出力、振動部１２８の振動制御がなされてもよい。これにより、臨場感溢れるコンテンツを利用者６０に提供することが可能となる。
【００６１】
ＰＲ画像表示部９２に表示されるＰＲ画像は、複数のパターンで表示制御される。たとえば、パターンＡでは、一ＰＲ画像ａのみが終了ボタン９４が押下されるまで表示される。パターンＢでは、複数のＰＲ画像ａ、ＰＲ画像ｂ、・・・ＰＲ画像ｅが、所定時間間隔毎に繰り返し表示され、終了ボタン９４の押下によって表示が終了する。パターンＣでは、一ＰＲ画像ａのみが所定時間表示される。パターンＤでは、複数のＰＲ画像ａ、ＰＲ画像ｂ、およびＰＲ画像ｃが、所定時間表示される。
【００６２】
第２コンテンツ画面８８で終了ボタン９４が押下されると、第３コンテンツ画面９６に画面が移行する。第３コンテンツ画面９６は、メインコンテンツ表示部９８を含む。メインコンテンツ表示部９８には、コンテンツＣを実行した結果が表示される。
【００６３】
図４は、本実施形態のコンテンツ配信サーバ２００の構成を示す機能ブロック図である。コンテンツ配信サーバ２００は、インタフェース部（Ｉ／Ｆ）２０２と、アプリダウンロード要求受信部（アプリＤＬ要求受信部）２０４と、ユーザ登録部２０６と、利用者データベース（利用者ＤＢ）２１０と、ユーザ認証部２１６と、コンテンツ抽出部２１８と、アプリ情報テーブル２２０と、アプリ配信部２２２と、を備えている。
【００６４】
インタフェース部２０２は、ネットワーク２０を介して携帯電話機１００と通信を行う。アプリダウンロード要求受信部２０４は、携帯電話機１００からアプリケーションプログラムのダウンロード要求をネットワーク２０を介して受信する。ユーザ登録部２０６は、アプリダウンロード要求受信部２０４が受信したダウンロード要求に含まれるユーザ情報に基づいて、新規ユーザの場合、ユーザ登録を行う。
【００６５】
利用者データベース２１０は、コンテンツ配信サーバ２００のコンテンツを利用する利用者６０の利用者情報２１２と、コンテンツの利用状況記録２１４と、を含む。図５に利用者データベース２１０に記憶される利用者情報２１２の構造の一例を示す。利用者情報２１２とは、本実施形態のコンテンツを利用する利用者６０の個人情報を含む。利用者情報２１２は、たとえば、利用者ＩＤ、姓名、性別、生年月日、血液型などを含む。また、コンテンツ毎に、利用者の情報として必要な情報はここに記録することができる。また、ユーザ認証を必要とするコンテンツの場合には、ユーザＩＤとパスワードを含むこともできる。
【００６６】
本実施形態において、利用者情報２１２は、利用者６０がコンテンツの利用事前登録申し込み時に予め登録することもできるし、コンテンツを利用（ダウンロード）する都度コンテンツ配信サーバ２００に携帯電話機１００から情報を送信し、登録することもできる。
【００６７】
さらに図６は、利用者データベース２１０の利用状況記録２１４の構造の一例を示す図である。利用状況記録２１４は、利用者ＩＤをキーとして、各利用者６０の携帯電話機１００において利用されたコンテンツの利用状況をシリアル番号で採番して時系列で記憶する。コンテンツＩＤ、コンテンツを利用した時の携帯電話機１００の地理的位置、コメントなどを記録可能な拡張エリア、利用年月日時などを記憶する。各利用者６０のコンテンツの利用毎に記憶され、管理される。なお、ここで言う「コンテンツ」とは、ｊａｖａ（登録商標）アプリケーションプログラムを含む。
【００６８】
なお、利用状況記録２１４に格納される情報は、利用者６０の携帯電話機１００から送信されるが、利用者６０は情報をコンテンツ配信サーバ２００に対して送信するか否かを選択することができる。利用状況記録２１４は、コンテンツ提供者が利用者６０のニーズなどを知る上での貴重な情報となり、コンテンツ開発に生かされることとなるため、コンテンツ提供側では、なるべく利用者６０がこれらの情報をコンテンツ配信サーバ２００に対して送信するための工夫が必要となる。たとえば、図３の第３コンテンツ画面９６のメインコンテンツ表示部９８に占いコンテンツの簡易結果は利用状況記録の送信なしでも利用者６０に提供されるが、より詳細な結果や著名人による占い結果などは利用状況記録をコンテンツ配信サーバ２００に送信することにより得られるようにする。
【００６９】
図４に戻り、ユーザ認証部２１６は、アプリダウンロード要求受信部２０４が受信したユーザＩＤおよびパスワードを受け取りユーザ認証を行う。ユーザ認証処理の要否はコンテンツによって決まっており、ユーザ認証を必要としないコンテンツの場合は、ユーザ認証処理を行わない。
【００７０】
図７は、携帯電話機１００のＬＣＤ１１８に表示されるコンテンツ選択メニュー画面５０の一例を示す図である。携帯電話機１００は、コンテンツ配信サーバ２００が提供するコンテンツ提供サイト（http://www.abc.com/contents/menu.html）にアクセスし、所望のカテゴリを選択し、所定のＵＲＬを選択することにより、コンテンツ選択メニュー画面５０をＬＣＤ１１８に表示させることができる。コンテンツ選択メニュー画面５０には、コンテンツ配信サーバ２００にて保有され、携帯電話機１００に提供可能なコンテンツの一覧が含まれる。
【００７１】
コンテンツ抽出部２１８は、アプリ情報テーブル２２０にアクセスし、携帯電話機１００から要求されたアプリケーションプログラムの格納場所とファイル名を取得する。さらに、そのアプリケーションプログラムを実行する際に必要となる各種コンテンツが格納されているフォルダをダウンロードする。図８に示すようにアプリ情報テーブル２２０は、アプリケーションプログラム毎に、アプリＩＤを有し、アプリＩＤ毎に、アプリ名称、格納場所、ファイル名、そして、アプリが使用するコンテンツを格納しているフォルダ名を対応付けて記憶する。
【００７２】
アプリ配信部２２２は、コンテンツ抽出部２１８から受け取ったアプリケーションプログラムおよびコンテンツフォルダをインタフェース部２０２を介して携帯電話機１００に配信する。配信時には、必要に応じて課金処理がなされる。コンテンツによって、１回のみダウンロード料金がかかったり、あるいは、コンテンツを利用毎に利用料金がかかったりする。
【００７３】
図４に示すように、コンテンツ記憶部１０は、アプリ格納部３０と、コンテンツＡ格納部３２と、コンテンツＢ格納部３４と、コンテンツＣ格納部３６と、広告コンテンツ格納部３８と、配信テーブル格納部４０と、を含むことができる。アプリ格納部３０には、携帯電話機１００に提供可能なアプリケーションプログラムが複数格納される。コンテンツＡ格納部３２、コンテンツＢ格納部３４、コンテンツＣ格納部３６、および広告コンテンツ格納部３８は、アプリケーションプログラムで使用する各種コンテンツが格納される。各格納部内では、複数のサブディレクトリが作成され、アプリケーションプログラム毎に、図８のコンテンツフォルダ名を付すことができる。これにより、アプリケーションプログラム毎に、必要なコンテンツを特定することができる。配信テーブル格納部４０は、アプリケーションプログラム毎に、条件に応じて配信すべきコンテンツが対応付けて記憶される。
【００７４】
図９は、本実施形態の携帯電話機１００の構成を示す機能ブロック図である。携帯電話機１００は、インタフェース部（Ｉ／Ｆ）１４０と、ユーザ情報受付部１４２と、ユーザ情報記憶部１４４と、アプリ選択受付部１４６と、アプリダウンロード要求部（アプリＤＬ要求部）１４８と、アプリダウンロード部（アプリＤＬ部）１５０と、格納部１６０と、アプリ起動指示受付部１７８と、アプリ実行部１８０と、を備えている。
【００７５】
インタフェース部１４０は、ネットワーク２０を介してコンテンツ配信サーバ２００と通信を行う。ユーザ情報受付部１４２は、利用者６０が操作キー１１４を操作して入力したユーザ情報を操作受付部１１６を介して受け付ける。ユーザ情報受付部１４２が受け付けたユーザ情報は操作キー１１４に格納される。図１０に示されるユーザ情報記憶部１４４に利用者情報が記憶される。図１０の例では、利用者ＩＤ、姓名、性別、生年月日、血液型が含まれる。
【００７６】
操作受付部１１６は、利用者６０が操作キー１１４を操作して選択したアプリケーションプログラムを受け付ける。アプリ選択受付部１４６が受け付けた選択はアプリダウンロード要求部１４８に通知される。アプリダウンロード要求部１４８は、アプリ選択受付部１４６からの通知に呼応して、選択されたアプリケーションプログラムのダウンロード要求をインタフェース部１４０を介してネットワーク２０上のコンテンツ配信サーバ２００に対して行う。アプリダウンロード要求部１４８は、コンテンツ配信サーバ２００に対して、ユーザ情報記憶部１４４からユーザ情報を読み出し、ユーザ情報も送信する。
【００７７】
アプリダウンロード部１５０は、インタフェース部１４０を介してネットワーク２０上のコンテンツ配信サーバ２００からアプリケーションプログラム含むコンテンツをダウンロードする。格納部１６０は、アプリダウンロード部１５０がダウンロードしたアプリケーションプログラムを含むコンテンツを格納する。格納部１６０には、アプリ格納部１６２と、コンテンツＡ格納部１６４と、コンテンツＢ格納部１６６と、コンテンツＣ格納部１６８と、広告コンテンツ格納部１７０と、対応テーブル１７２と、が含まれる。コンテンツＡ格納部１６４、コンテンツＢ格納部１６６、コンテンツＣ格納部１６８、および広告コンテンツ格納部１７０は、アプリ格納部１６２が条件に応じて選択的に使用するコンテンツがそれぞれ複数格納されている。対応テーブル１７２には、条件に応じて選択的に使用すべきコンテンツが対応付けられている。
【００７８】
対応テーブルは、コンテンツＡ用、コンテンツＢ用、コンテンツＣ用、および広告コンテンツ用がそれぞれ含まれる。各対応テーブルは、たとえば、第１時刻、第２時刻、経過時間、または継続時間、あるいは、位置情報を含む周辺情報、または利用者６０のプロフィール情報（性別、年齢、職業など）にコンテンツＩＤを対応付けて記憶する。
【００７９】
図１１に対応テーブル１７４の一例を示す。図１１の対応テーブル１７４は、コンテンツＢを決定する際に使用するテーブルである。たとえば、図３の第１コンテンツ画面８０の開始ボタン８４が押下された時間（第１時刻）を条件として実行するコンテンツＩＤが対応付けて記憶されている。
【００８０】
図１２に示す対応テーブル１７５は、広告コンテンツを決定する際に使用するテーブルの一例である。たとえば、図３の第２コンテンツ画面８８のＰＲ画像表示部９２に表示されるコンテンツは、コンテンツの利用日時に対応付けて記憶されている。さらに、動作パターンも対応付けて記憶されている。たとえば、２００６年１月１５日の１０時にコンテンツを利用した場合、コンテンツＩＤ「０２１０１３」のコンテンツが動作パターンＡで、ＰＲ画像表示部９２に表示されることとなる。
【００８１】
図９に戻り、アプリ起動指示受付部１７８は、携帯電話機１００にダウンロードされ実行可能状態にあるコンテンツの中から、利用者６０が操作キー１１４を操作して選択したアプリケーションプログラムの起動指示を操作受付部１１６を介して受け付ける。アプリ実行部１８０は、アプリ起動指示受付部１７８が受け付けた起動指示に従って、アプリケーションプログラムを起動し、実行する。アプリ実行部１８０がアプリケーションプログラムを実行すると、表示制御部１２２によりＬＣＤ１１８およびＬＥＤ１２０の表示制御がなされ、音声出力制御部１２６によりスピーカ１２４から音声出力制御がなされ、振動制御部１３０により振動部１２８のバイブレーション制御がなされ、利用者６０は、コンテンツを視聴することができる。
【００８２】
図１３は、図９のアプリ実行部１８０の構造の詳細を示す機能ブロック図である。本実施形態の携帯電話機１００は、複数の広告コンテンツを含む複数のコンテンツを記憶可能なコンテンツ記憶部（図９の格納部１６０）を含み、利用者の所定の第１操作を受け付ける第１操作受付部１８２と、第１操作受付部１８２が第１操作を受け付けたことに呼応して、広告コンテンツを含む第１コンテンツを実行する第１コンテンツ実行部（コンテンツ実行部１８６）と、第１コンテンツ実行部（コンテンツ実行部１８６）が第１コンテンツを実行中に、利用者の所定の第２操作を受け付ける第２操作受付部１８８と、第２操作受付部１８８が第２操作を受け付けたことに呼応して、第２コンテンツを実行する第２コンテンツ実行部（コンテンツ実行部１８６）と、を備える。
【００８３】
本発明の実施の形態において、携帯電話機１００において、アプリケーションプログラムが実行されて機能を実現することができる。本実施形態のアプリケーションプログラムは、携帯端末に格納され、実行される携帯端末格納プログラムであって、複数の広告コンテンツを含む複数のコンテンツを記憶可能なコンテンツ記憶部（図２のＲＯＭ１０８）を備えたコンピュータ（図２のＣＰＵ１０２）を、携帯端末（携帯電話機１００）の利用者６０の所定の第１操作を受け付ける手段（第１操作受付部１８２）、第１操作を受け付ける手段（第１操作受付部１８２）が第１操作を受け付けたことに呼応して、広告コンテンツを含む第１コンテンツを実行する手段（コンテンツ実行部１８６）、第１コンテンツを実行する手段（コンテンツ実行部１８６）が第１コンテンツを実行中に、携帯端末（携帯電話機１００）の利用者６０の所定の第２操作を受け付ける手段（第２操作受付部１８８）、第２操作を受け付ける手段（第２操作受付部１８８）が第２操作を受け付けたことに呼応して、第２コンテンツを実行する手段（コンテンツ実行部１８６）、として機能させるための携帯端末格納プログラムである。
【００８４】
具体的には、アプリ実行部１８０は、第１操作受付部１８２と、決定部１８４と、コンテンツ実行部１８６と、第２操作受付部１８８と、を含むことができる。
【００８５】
第１操作受付部１８２は、利用者６０が操作キー１１４を操作してたとえば、図３の第１コンテンツ画面８０の開始ボタン８４を押下したとき、操作受付部１１６を介して第１操作として受け付け、計時部１１２から時刻を取得し、決定部１８４に第１時刻として受け渡す。決定部１８４は、第１操作受付部１８２から受け渡された第１時刻に基づいて、対応テーブル１７４を参照し、第１時刻に対応するコンテンツＩＤを取得する。ここで取得したコンテンツＩＤは、コンテンツ実行部１８６に受け渡され、格納部１６０のコンテンツＢ格納部１６６にアクセスし、コンテンツＩＤに基づいて、コンテンツＢを実行し、メインコンテンツ表示部９０に選択されたコンテンツＢを表示する。
【００８６】
さらに決定部１８４は、第１操作受付部１８２から受け渡された第１時刻を利用日時として、対応テーブル１７５を参照し、利用日時に対応するコンテンツＩＤを取得する。ここで取得したコンテンツＩＤは、コンテンツ実行部１８６に受け渡され、格納部１６０の広告コンテンツ格納部１７０にアクセスし、コンテンツＩＤに基づいて、広告コンテンツを実行し、ＰＲ画像表示部９２に選択されたＰＲ画像、ここでは、ＰＲ画像ａをパターンＡで表示する。第２操作受付部１８８は、コンテンツ実行部１８６が第１コンテンツを実行中に利用者６０が操作キー１１４を操作して、たとえば、図３の第２コンテンツ画面８８の終了ボタン９４の押下したとき、操作受付部１１６を介して第２操作として受け付け、計時部１１２から時刻を取得し、決定部１８４に第２時刻として受け渡す。
【００８７】
このように構成されたコンテンツ配信システム１の動作について、以下に説明する。図１４は、本実施形態のコンテンツ配信システム１の動作の一例を示すフローチャートである。ここでは、予め、アプリケーションプログラムおよび必要なコンテンツが携帯電話機１００にダウンロードされ実行可能状態にあるとものとして説明する。なお、以下のステップＳ１０３、ステップＳ１０５、およびステップＳ２０１およびステップＳ２０３は、コンテンツ配信サーバ２００への接続の必要がない場合は、省略することができる。
【００８８】
まず、携帯電話機１００のアプリケーションライブラリィメニュー画面などから利用者６０は、利用するアプリケーションプログラムを操作キー１１４を操作して選択する（ステップＳ１１）。携帯電話機１００において、アプリ起動指示受付部１７８が選択されたアプリケーションプログラムを受け付け、アプリ実行部１８０によって起動される（ステップＳ１０１）。そして、携帯電話機１００は、コンテンツ配信サーバ２００にインタフェース部１４０を介して接続し、必要に応じてユーザ認証を行う（ステップＳ１０３）。
【００８９】
コンテンツ配信サーバ２００では、携帯電話機１００からの要求に応じて、携帯電話機１００との接続を確立し、必要に応じてユーザ認証を行う（ステップＳ２０１）。つづいて、携帯電話機１００において、情報送信部（不図示）が、利用者ＩＤとともに、ＧＰＳ受信部１３２から取得した位置情報や、利用したアプリケーションプログラム、利用日時などの情報をコンテンツ配信サーバ２００に送信する（ステップＳ１０５）。コンテンツ配信サーバ２００において、送信された情報を情報受信部（不図示）が受信し、利用者データベース２１０に記録する（ステップＳ２０３）。
【００９０】
そして、携帯電話機１００において、コンテンツＡが実行され、図３の第１コンテンツ画面８０のメインコンテンツ表示部８２にコンテンツＡの実行結果が表示される（ステップＳ１０７）。利用者６０は、ＬＣＤ１１８に表示された第１コンテンツ画面８０のメインコンテンツ表示部８２に表示されたコンテンツＡを視聴することができる（ステップＳ１３）。
【００９１】
そして、利用者６０が第１コンテンツ画面８０の開始ボタン８４を押下すると（ステップＳ１５）、携帯電話機１００において、アプリ実行部１８０の第１操作受付部１８２が操作受付部１１６を介して第１操作として受け付け、計時部１１２から取得した時刻を第１時刻として決定部１８４に受け渡す（ステップＳ１０９）。そして、決定部１８４が、対応テーブル１７４にアクセスし、第１時刻に対応するコンテンツＩＤを取得し、コンテンツＢを決定する（ステップＳ１１１）。さらに、決定部１８４は、対応テーブル１７５にアクセスし、利用時間に対応するコンテンツＩＤおよび動作パターンを取得し、広告コンテンツを決定する（ステップＳ１１３）。
【００９２】
そして、コンテンツ実行部１８６がコンテンツＢおよび広告コンテンツを実行し（ステップＳ１１５）、図３の第２コンテンツ画面８８にメインコンテンツ表示部９０にコンテンツＢの実行結果を表示するとともに、ＰＲ画像表示部９２に広告コンテンツの実行結果を表示する。利用者６０は、ＬＣＤ１１８の第２コンテンツ画面８８に表示されたコンテンツＢおよび広告コンテンツを視聴することができる（ステップＳ１７）。
【００９３】
そして、第２コンテンツ画面８８を視聴している時、終了ボタン９４を押下すると（ステップＳ１９）、携帯電話機１００において、アプリ実行部１８０の第２操作受付部１８８が操作受付部１１６を介して第２操作として受け付け、計時部１１２から取得した時刻を第２時刻として決定部１８４に受け渡す（ステップＳ１１７）。決定部１８４は、コンテンツＣ決定用の対応テーブル（不図示）を参照し、第２時刻に対応するコンテンツＩＤを取得し、コンテンツＣを決定する（ステップＳ１１９）。そして、コンテンツ実行部１８６がコンテンツＣを実行し（ステップＳ１２１）、図３の第３コンテンツ画面９６のメインコンテンツ表示部９８にコンテンツＣの実行結果が表示される。利用者６０は、ＬＣＤ１１８の第３コンテンツ画面９６に表示されたコンテンツＣを視聴することができる（ステップＳ２１）。
【００９４】
さらに、図１４のステップＳ１１５において、広告コンテンツ実行時の詳細フローについて、図１５を用いて説明する。図１５に示すように、携帯電話機１００において、決定部１８４が対応テーブル１７４を参照して取得した動作パターンに応じて処理を行う。たとえば、パターンＡの場合（ステップＳ１３１のＹＥＳ）、ＰＲ画像ａ（図１２では、コンテンツＩＤ０２１０１３）を表示し（ステップＳ１３３）、ステップＳ１１７に戻る。パターンＢの場合（ステップＳ１３１のＮＯかつステップＳ１３５のＹＥＳ）、ＰＲ画像ａ（図１２では、コンテンツＩＤ０２１０１０２から順に６画像ファイル）を順次所定時間間隔（図１２では１０秒間）ずつ表示を繰り返し（ステップＳ１３７）、ステップＳ１１７に戻る。
【００９５】
また、パターンＣの場合（ステップＳ１３５のＮＯかつステップＳ１３９のＹＥＳ）、ＰＲ画像ａ（図１２では、コンテンツＩＤ０２１０２０１）を所定時間（図１２では３０秒間）表示し（ステップＳ１４１）、ステップＳ１１７に戻る。パターンＤの場合（ステップＳ１３９のＮＯかつステップＳ１４３のＹＥＳ）、ＰＲ画像ａ（図１２では、コンテンツＩＤ０２１０３０９から３画像ファイル）を順次所定時間間隔（図１２では１０秒間）ずつ表示を繰り返し（ステップＳ１４５）、ステップＳ１１７に戻る。
【００９６】
このように本実施形態では、広告コンテンツを様々な動作パターンで画面表示させることができるので、斬新な表現を画像にて行うことも可能となり、顧客訴求力を向上させることができる。
【００９７】
また、図１６に示すように、本実施形態の携帯電話機１００において、アプリ実行部１８０は、さらにアクセス受付部１９０と、判断部１９２と、ウェブアクセス部１９４と、メール送信処理部１９６と、発呼処理部１９８と、を含むことができる。本実施形態において、図３の第２コンテンツ画面８８のＰＲ画像表示部９２に表示されたイメージファイルには、ウェブアクセスタグ（Ｗｅｂ  ｔｏ）や、メール送信タグ（Ｍａｉｌ  ｔｏ）、並びに発呼タグ（Ｐｈｏｎｅ  ｔｏ）を割り付けることができる。
【００９８】
アクセス受付部１９０は、利用者６０が第２コンテンツ画面８８のＰＲ画像表示部９２を選択したとき、操作受付部１１６を介して受け付ける。判断部１９２は、ＰＲ画像表示部９２に割り付けられているタグを判断し、Ｗｅｂ  ｔｏタグであればウェブアクセス部１９４に通知し、Ｍａｉｌ  ｔｏタグであればメール送信処理部１９６に通知し、Ｐｈｏｎｅ  ｔｏタグであれば発呼処理部１９８に通知する。
【００９９】
ウェブアクセス部１９４は、フルブラウザ対応の携帯電話機１００であれば、フルブラウザを開き、ＰＲ画像表示部９２に割り付けられていたＵＲＬアドレスにアクセスし、ウェブページをＬＣＤ１１８に表示するなどの処理を行う。メール送信処理部１９６は、携帯電話機１００のメーラーを起動し、ＰＲ画像表示部９２に割り付けられていたメール送信タグで指定されていたアドレスを宛先として、メールを送信する処理を行う。メールの件名および本文も必要に応じて自動的に記載することもできる。メールの送信処理を、利用者６０が送信ボタン（不図示）を操作することによって行われる。発呼処理部１９８は、携帯電話機１００においてＰＲ画像表示部９２に割り付けられていた発呼タグで指定されていた電話番号に発呼処理を行う。
【０１００】
このように構成された本実施形態のコンテンツ配信システム１の動作について、以下に説明する。図１７は、本実施形態のコンテンツ配信システム１の動作の一例を示すフローチャートである。
【０１０１】
ここでは、利用者６０は図１４のステップＳ１７および携帯電話機１００はステップＳ１１５の状態であり、図３の第２コンテンツ画面８８が携帯電話機１００のＬＣＤ１１８に表示されている。そして、第２コンテンツ画面８８のＰＲ画像表示部９２には、ＰＲ画像ａが表示されている（ステップＳ１５１）。利用者６０は、第２コンテンツ画面８８のＰＲ画像表示部９２に表示されているＰＲ画像ａを視聴している（ステップＳ３１）。ここで、ＰＲ画像ａには、たとえば、店舗や商品の広告などの画像が表示されており、より詳細な情報を必要とする利用者は、ここをクリックするように促すメッセージなどが記載されている。
【０１０２】
利用者６０がＰＲ画像表示部９２のＰＲ画像ａを押下すると（ステップＳ３３）、携帯電話機１００において、アクセス受付部１９０が操作受付部１１６を介して操作を受け付ける（ステップＳ１５３）。判断部１９２は、ＰＲ画像ａに割り付けられている処理を判断し、予め指定されている処理を実行する。たとえば、ウェブアクセスタグが指定されていた場合（ステップＳ１５５のＷｅｂ  ｔｏ）、判断部１９２はウェブアクセス部１９４にウェブアクセス指示を行う。ウェブアクセス部１９４は、フルブラウザを開き、予め指定されているＵＲＬにアクセスし、ウェブページをＬＣＤ１１８に表示する（ステップＳ１５７）。
【０１０３】
また、メール送信タグが指定されていた場合（ステップＳ１５５のＭａｉｌ  ｔｏ）、判断部１９２はメール送信処理部１９６にメール送信指示を行う。メール送信処理部１９６は、メーラーを起動し、予め指定されている宛先へのメールを作成し、件名および本文など必要に応じて自動的に記載する（ステップＳ１５９）。さらに、ユーザに必要に応じて、本文へ記載を促し、入力させた後、送信させる。あるいは、自動的に所定の宛先にメールを送信させてもよい。
【０１０４】
また、発呼タグが指定されていた場合（ステップＳ１５５のＰｈｏｎｅ  ｔｏ）、判断部１９２は発呼処理部１９８に発呼指示を行う。発呼処理部１９８は、予め指定されている電話番号に発呼を開始する（ステップＳ１６１）。以上の処理が終了すると、図１４のステップＳ１７およびステップＳ１１７に戻る。
【０１０５】
以上説明したように、本実施形態のコンテンツ配信システム１によれば、モバイルデジタルコンテンツ提供時に顧客訴求力のある宣伝広告表示を効果的に行い、広告効果を向上させることができる。特に、コンテンツ決定および表示条件が時系列的判定であるとともに、コンテンツを実行時、時系列判定の時間的制約の中で、利用者が注視している画面上に広告表示などを画像で提供することができるので、効果的に宣伝広告を行うことが可能となる。
【０１０６】
（第二の実施の形態）
図１８は、本発明の実施の形態に係るコンテンツ配信システム１の構成を示す機能ブロック図である。本実施形態のコンテンツ配信システム１は、上記実施形態のコンテンツ配信システム１とは、広告コンテンツの決定を携帯電話機１００で行うのではなく、コンテンツ配信サーバ２００で行い、コンテンツ配信サーバ２００から携帯電話機１００に配信する点で相違する。すなわち、本実施形態の携帯端末（携帯電話機１００）において、ダウンロード部（コンテンツダウンロード部３０６）は、サーバ（コンテンツ配信サーバ２００）が所定の条件に従って決定した第１コンテンツまたは第２コンテンツを該サーバ（コンテンツ配信サーバ２００）からネットワーク２０を介してダウンロードする。
【０１０７】
この構成によれば、上記実施形態と同様な効果を奏するとともに、広告コンテンツをコンテンツ配信サーバ２００において常に更新することができ、最新の情報を携帯電話機１００に提供することが可能となり、より広告効果を向上させることが可能となる。
【０１０８】
図１８に示すように、本実施形態のコンテンツ配信サーバ２００は、上記実施形態の構成に加え、コンテンツ要求受信部２３０と、コンテンツ決定部２３２と、コンテンツ配信部２３４と、コンテンツ情報テーブル２３６と、を更に備える。
【０１０９】
コンテンツ要求受信部２３０は、インタフェース部２０２を介して、携帯電話機１００からコンテンツ要求を受信する。ここでコンテンツ要求には、携帯電話機１００のコンテンツ利用日時や、携帯電話機１００の位置情報などが含まれる。
【０１１０】
コンテンツ決定部２３２は、コンテンツ要求受信部２３０が受信したコンテンツ要求に従って配信テーブル４２を参照し、コンテンツＩＤを取得する。図１９に配信テーブル４２の構造の一例を示す。配信テーブル４２は、携帯電話機１００に配信する広告コンテンツを条件に応じて決定するのに使用する。図１９に示すように、配信テーブル４２は、利用日時毎に、配信するコンテンツＩＤと、配信パターンが対応付けて記憶されている。ここで、「利用年月、利用日、および利用時間帯」とは、携帯電話機１００において、第１操作を受け付けた第１時刻のことである。また、利用日は、バレンタインデーなど特定の日や期間と通常で区別したり、週末と平日で区別するなど、様々な組み合わせが考えられる。なお、図１９の例では、コンテンツの利用日時毎にコンテンツＩＤが対応付けられているが、これに限定されない。たとえば、利用者６０の属性情報（性別、年齢など）、携帯電話機１００の位置情報に対応付けることもできる。さらに位置情報からエリアの交通情報、気象情報、イベント情報、セール情報などを取得し、これらの情報に予めコンテンツＩＤを対応付けておくこともできる。
【０１１１】
図１８に戻り、コンテンツ決定部２３２は、携帯電話機１００から受信したコンテンツ要求に含まれる利用年月日時を取得し、配信テーブル４２から対応するコンテンツＩＤを取得する。コンテンツ決定部２３２が取得したコンテンツＩＤは、コンテンツ配信部２３４に通知され、コンテンツ配信部２３４は、コンテンツ情報テーブル２３６にアクセスし、コンテンツの格納場所を取得し、広告コンテンツ格納部３８から読み出す。さらにコンテンツ配信部２３４は、読み出したコンテンツをインタフェース部２０２を介して携帯電話機１００に配信する。
【０１１２】
図２０にコンテンツ情報テーブル２３６の構造の一例を示す。コンテンツ情報テーブル２３６は、各コンテンツのコンテンツＩＤ、コンテンツ名称、ファイル名、格納場所が記憶されている。本実施形態では、格納場所がコンテンツ配信サーバ２００が有するコンテンツ記憶部１０に含まれる構成となっているが、これに限定されない。たとえば、コンテンツ配信サーバ２００にネットワークを介して接続された他のサーバが管理するコンテンツ記憶部に含まれるコンテンツであってもよい。その場合、コンテンツを読み出すために必要な認証情報などもコンテンツ情報テーブル２３６に記憶することができる。
【０１１３】
また、本実施形態の携帯電話機１００は、上記実施形態のアプリ実行部１８０に替えて、アプリ実行部３００を備える。アプリ実行部３００は、図１３のアプリ実行部１８０と同じ第１操作受付部１８２と、決定部１８４と、第２操作受付部１８８と、を備えるとともに、位置情報取得部３０２と、コンテンツ要求部３０４と、コンテンツダウンロード部３０６と、コンテンツ実行部３０８と、をさらに含む。
【０１１４】
位置情報取得部３０２は、ＧＰＳ受信部１３２から携帯電話機１００の位置情報を取得し、コンテンツ要求部３０４に通知する。コンテンツ要求部３０４は、位置情報取得部３０２から通知された位置情報と、第１操作受付部１８２から通知された第１時刻を含むコンテンツ要求をインタフェース部１４０を介してコンテンツ配信サーバ２００に対して送信する。
【０１１５】
コンテンツダウンロード部３０６は、コンテンツ配信サーバ２００からインタフェース部１４０を介してコンテンツをダウンロードし、コンテンツ実行部３０８に実行させる。なお、ダウンロードされた広告コンテンツは、一旦、格納部１６０に格納することもできる。
【０１１６】
コンテンツ実行部３０８は、第１操作受付部１８２が第１操作を受け付けたことに呼応して、決定部１８４が決定したコンテンツを実行するとともに、コンテンツダウンロード部３０６が受信した広告コンテンツを実行する。
【０１１７】
このように構成された本実施形態のコンテンツ配信システム１の動作について、以下に説明する。図２１は、本実施形態のコンテンツ配信システム１の動作の一例を示すフローチャートである。上記実施形態の図１４のフローチャートと同じ動作は同じ符号を付し、適宜説明は省略する。
【０１１８】
図１４の動作と同様に、携帯電話機１００にてアプリケーションプログラムが起動され（ステップＳ１０１）、アプリ実行部３００にてコンテンツＡが実行され（ステップＳ１０７）、携帯電話機１００のＬＣＤ１１８に第１コンテンツ画面８０が表示され、利用者６０は、メインコンテンツ表示部８２に表示されたコンテンツＡを視聴する（ステップＳ１３）。
【０１１９】
そして、利用者６０が第１コンテンツ画面８０の開始ボタン８４を押下し（ステップＳ１５）、携帯電話機１００において、第１操作受付部１８２が第１操作を受け付ける（ステップＳ１０９）。そして、コンテンツ要求部３０４が、第１操作受付部１８２から第１時刻を取得し、位置情報取得部３０２から位置情報を取得して、コンテンツ要求をコンテンツ配信サーバ２００に送信する（ステップＳ１７１）。
【０１２０】
コンテンツ配信サーバ２００において、コンテンツ要求受信部２３０が携帯電話機１００からコンテンツ要求を受信する（ステップＳ２１１）。そして、コンテンツ決定部２３２が、コンテンツ要求受信部２３０が受信したコンテンツ要求に含まれる第１時刻に基づいて、配信テーブル４２にアクセスし、対応するコンテンツＩＤを取得し、配信する広告コンテンツを決定する（ステップＳ２１３）。
【０１２１】
そして、コンテンツ配信部２３４にコンテンツＩＤが通知され、コンテンツ配信部２３４はコンテンツ情報テーブル２３６にアクセスし、コンテンツの格納場所を取得して、広告コンテンツ格納部３８からコンテンツを読み出し、インタフェース部２０２を介して携帯電話機１００に配信する（ステップＳ２１５）。
【０１２２】
携帯電話機１００では、アプリ実行部３００のコンテンツダウンロード部３０６がコンテンツ配信サーバ２００からコンテンツをダウンロードする（ステップＳ１７５）。このようにしてダウンロードされた広告コンテンツは、コンテンツ実行部３０８によって実行され、図３の第２コンテンツ画面８８のＰＲ画像表示部９２に表示される。一方、第１操作受付部１８２が第１操作を受け付けたことに呼応して決定部１８４が決定したコンテンツＢもコンテンツ実行部３０８によって実行され、図３の第２コンテンツ画面８８のメインコンテンツ表示部９０に表示される（ステップＳ１１５）。このようにして、利用者６０は、携帯電話機１００のＬＣＤ１１８に表示されたコンテンツＢおよび広告コンテンツを視聴することができる（ステップＳ１７）。
【０１２３】
本実施形態で表示される広告コンテンツは、コンテンツ配信サーバ２００からダウンロードされるので、コンテンツ配信サーバ２００にて常に最新の広告コンテンツを準備することにより、最新のコンテンツを利用者６０に提供することが可能となる。
【０１２４】
（第三の実施の形態）
図２２は、本発明の実施の形態に係るコンテンツ配信システム１の構成を示すブロック図である。本実施形態のコンテンツ配信システム１は、上記実施の形態の構成に加え、ストリーミングサーバ４００と、動画コンテンツ記憶部４１０と、を備えた点で相違する。動画コンテンツは、たとえば、携帯電話機１００において、Windows Media（登録商標） Playerを立ち上げながらＭＰＥＧ４によって圧縮されて配信された動画ファイルを再生することができる。予めデジタル録画されたファイルをＷＭＥ（Windows Media（登録商標） Encoder）などを活用して、ＡＳＦ（Advanced Streaming Format）形式に変換する。このファイルをストリーミングサーバ４００に配備し、携帯電話機１００に対してストリーミング配信させる。また、撮影した動画像の動きの少ない部分に圧縮をかけた撮影方式による表示方式も採用することができる。
【０１２５】
携帯電話機１００にて動画ファイルを再生させるためのプレーヤとしては、様々なものがあり、後述するように、何れのプレーヤで再生するかによって動画ファイルの符号化形式や配信プロトコルも異なるため、予め携帯電話機１００とストリーミングサーバ４００との間で、同期をとる必要がある。ここでは、発明の本質に関わらないので詳細な説明は省略する。本実施形態において、ネットワーク２０は、ブロードバンドによる高速通信が可能である。
【０１２６】
図２３に示すように、本実施形態の携帯電話機１００では、コンテンツ配信サーバ２００からダウンロードされたアプリケーションプログラムが実行されると携帯電話機１００のＬＣＤ１１８に第１コンテンツ画面８０が表示される。第１コンテンツ画面８０は、上記実施形態の図３と同様である。
【０１２７】
本実施形態では、第１コンテンツ画面８０が表示されている状態で、利用者６０が開始ボタン８４を押下すると、動画コンテンツ記憶部４１０がＬＣＤ１１８に表示されることとなる。第２コンテンツ画面４２０は、イメージ動画表示部４２２およびＰＲ画像表示部４２４を含むメインコンテンツ表示部９０と、終了ボタン９４と、が含まれる。第２コンテンツ画面４２０には、コンテンツＢが実行された結果が表示される。イメージ動画表示部４２２には、図２２のストリーミングサーバ４００から配信された動画像が表示される。ＰＲ画像表示部４２４には、イメージ動画表示部４２２に表示された動画像に関連付けられた宣伝や広告内容を含む広告コンテンツが実行された結果を表示することができる。各コンテンツの実行において、ＬＣＤ１１８への画面表示だけでなく、ＬＥＤ１２０の点灯点滅制御やスピーカ１２４から音声出力、振動部１２８の振動制御がなされてもよい。これにより、臨場感溢れるコンテンツを利用者６０に提供することが可能となる。ＰＲ画像表示部４２４に表示されるＰＲ画像については、上記実施の形態と同様なので、詳細な説明は省略する。
【０１２８】
図２４は、本実施形態のコンテンツ配信システム１の構成を示す機能ブロック図である。携帯電話機１００は、図１８に示す携帯電話機１００の構成に加え、さらに動画コンテンツ受信部３２０と、バッファ３２２と、デコーダ３２４と、を含む。
【０１２９】
本発明の実施の形態において、携帯電話機１００においてアプリケーションプログラムを実行することによって本機能は実現される。本実施形態のアプリケーションプログラムは、携帯端末（携帯電話機１００）に格納され、実行される携帯端末格納プログラムであって、携帯端末（携帯電話機１００）は、動画像コンテンツをネットワーク２０を介してストリーミング配信するストリーミングサーバ４００に接続され、複数のコンテンツを記憶可能なコンテンツ記憶部（図２のＲＯＭ１０８）を備えたコンピュータ（図２のＣＰＵ１０２）を、携帯端末（携帯電話機１００）の利用者６０の所定の第１操作を受け付ける手段（第１操作受付部１８２）、第１操作を受け付ける手段（第１操作受付部１８２）が第１操作を受け付けたことに呼応して、動画像コンテンツの再生処理を含む第１コンテンツを実行する手段（コンテンツ実行部３０８）、第１コンテンツを実行する手段（コンテンツ実行部３０８）が第１コンテンツを実行したとき、ストリーミングサーバ４００に動画像コンテンツを要求し、ストリーミング配信される動画像コンテンツをネットワークを介して受信する手段（コンテンツ要求部３０４および動画コンテンツ受信部３２０）、受信する手段（動画コンテンツ受信部３２０）が受信している動画像コンテンツを再生出力する手段（デコーダ３２４）、第１コンテンツを実行する手段が第１コンテンツを実行中に、携帯端末（携帯電話機１００）の利用者６０の所定の第２操作を受け付ける手段（第２操作受付部１８８）、第２操作を受け付ける手段（第２操作受付部１８８）が第２操作を受け付けたことに呼応して、第２コンテンツを実行する手段（コンテンツ実行部３０８）、として機能させるための携帯端末格納プログラムである。
【０１３０】
動画コンテンツ受信部３２０は、インタフェース部１４０を介してストリーミングサーバ４００から配信されるストリーミング動画像を受信し、順次、バッファ３２２の受信データバッファ領域に一時的に格納する。デコーダ３２４は、バッファ３２２の受信データバッファ領域から順次動画像データを読み出し、デコードし、バッファ３２２の復号データバッファ領域に一時的に格納する。
【０１３１】
コンテンツ実行部３０８は、バッファ３２２の復号データバッファ領域に格納された動画像データを順次読み出して、図２３のＬＣＤ１１８の第２コンテンツ画面４２０のイメージ動画表示部４２２に再生表示する。
【０１３２】
コンテンツ配信サーバ２００は、図１８に示すコンテンツ配信サーバ２００の構成に加え、さらに動画要求部２３８を備える。図２４において、コンテンツ決定部２３２は、図２５の配信テーブル４３にアクセスし、携帯電話機１００から受信した第１時刻に対応するコンテンツＩＤを取得し、動画要求部２３８に通知する。動画要求部２３８は、コンテンツ決定部２３２が決定したコンテンツを携帯電話機１００に配信するように、ストリーミングサーバ４００に要求する。動画要求部２３８は、コンテンツ決定部２３２からコンテンツＩＤを取得し、ストリーミングサーバ４００に通知する。動画要求部２３８は、このとき、配信すべき携帯電話機１００の識別情報、および配信データの形式などもともに通知することができる。これらの情報はコンテンツ配信サーバ２００の利用者データベース２１０の利用者情報２１２に予め登録しておくことができる。
【０１３３】
ストリーミングサーバ４００は、インタフェース部（Ｉ／Ｆ）４３０と、動画コンテンツ要求受信部４３２と、コンテンツ情報テーブル４３４と、動画コンテンツ読出部４３６と、バッファ４３８と、エンコーダ４４０と、ストリーミング配信部４４２と、を備える。インタフェース部４３０は、ネットワーク２０を介してコンテンツ配信サーバ２００および携帯電話機１００と通信を行う。動画コンテンツ要求受信部４３２は、コンテンツ配信サーバ２００から動画コンテンツの配信要求を受信する。配信要求には携帯電話機１００に配信すべき動画コンテンツのコンテンツＩＤが含まれる。
【０１３４】
コンテンツ情報テーブル４３４は、図２６に示すように、コンテンツ毎にコンテンツＩＤ、コンテンツ名称、ファイル名、および格納場所を記憶する。動画コンテンツ読出部４３６は、コンテンツ情報テーブル４３４を参照し、動画コンテンツ要求受信部４３２が受信したコンテンツＩＤのファイル名と格納場所に基づいて、動画コンテンツ記憶部４１０からコンテンツを詠み出す。動画コンテンツ読出部４３６が読み出したコンテンツは、バッファ４３８の送信データ格納領域に一時的に格納される。エンコーダ４４０は、バッファ４３８の送信データ格納領域から送信データを読み出し、所定単位毎に符号化し、バッファ４３８の符号化データ格納領域に順次格納する。ここで、エンコーダ４４０は、たとえば、ＷＭＥであり、ＡＳＦ形式に変換することができる。あるいは、コンテンツ配信サーバ２００から通知された形式でエンコード処理することもできる。あるいは、動画コンテンツを配信する際、動画コンテンツを再生するのに必要なプレーヤのプログラムもともに携帯電話機１００に配信することもできる。あるいは、携帯電話機１００が所有している再生プレーヤや、そのバージョンをチェックし、自動的に更新したり、あるいは必要な再生プレーヤのダウンロードを促すメッセージを提示し、指示に従って再生プレーヤを配信することもできる。
【０１３５】
再生プレーヤとしては、たとえば、Windows Media（登録商標） Playerや、Real Player（登録商標）、Quick Time（登録商標）などがある。
【０１３６】
イメージ動画表示部４２２は、バッファ４３８の符号化データ格納領域に格納されている符号化データを順次読み出し、インタフェース部４３０を介して携帯電話機１００に配信する。
【０１３７】
このように構成された本実施形態のコンテンツ配信システム１の動作について、以下に説明する。図２７は、本実施形態のコンテンツ配信システム１の動作の一例を示すフローチャートである。図２７に示すフローは、上記実施形態の図１４のフローのステップＳ１３、ステップＳ１０７、およびステップＳ２０３の続きを示している。各ステップまでは、図１４と同じであるので詳細な説明は省略する。
【０１３８】
ステップＳ１０７において、携帯電話機１００では、アプリ実行部３００のコンテンツ実行部３０８がコンテンツＡを実行し、ステップＳ１３において、利用者６０が図２３の第１コンテンツ画面８０に表示されているコンテンツＡを視聴している。ステップＳ１５において、利用者６０が図２３の第１コンテンツ画面８０の開始ボタン８４を押下すると（ステップＳ１５）、携帯電話機１００において第１操作受付部１８２が第１操作として受け付ける（ステップＳ１０９）。そして、第１操作受付部１８２がコンテンツ要求部３０４に第１時刻を通知し、コンテンツ要求部３０４は、位置情報取得部３０２から受け取った位置情報とともに、インタフェース部１４０を介してコンテンツ配信サーバ２００に対してコンテンツ要求を行う（ステップＳ１８１）。
【０１３９】
そして、コンテンツ配信サーバ２００において、コンテンツ要求受信部２３０がインタフェース部２０２を介してコンテンツ要求を受信する（ステップＳ２２１）。コンテンツ決定部２３２は、図１９の配信テーブル４２を参照し、第１時刻に基づいて、コンテンツＩＤおよび配信パターンを取得する。さらにコンテンツ決定部２３２は、図２５の配信テーブル４３を参照し、第１時刻に基づいて、コンテンツＩＤを取得する（ステップＳ２２３）。
【０１４０】
配信テーブル４２から決定されたコンテンツＩＤおよび配信パターンは、コンテンツ配信部２３４に通知され、配信テーブル４３から決定されたコンテンツＩＤは、動画要求部２３８に通知される。そして、動画要求部２３８は、取得したコンテンツＩＤをインタフェース部２０２を介してストリーミングサーバ４００に動画コンテンツ要求として送信する（ステップＳ２２５）。そして、ストリーミングサーバ４００では、動画コンテンツ要求受信部４３２が動画コンテンツ要求を受信する（ステップＳ３０１）。動画コンテンツ読出部４３６は、コンテンツ情報テーブル４３４を参照し、受信したコンテンツＩＤに対応するファイル名および格納場所を取得し、動画コンテンツ記憶部４１０から動画コンテンツを読み出し、バッファ４３８の送信データ格納領域に格納する（ステップＳ３０３）。
【０１４１】
そして、エンコーダ４４０がバッファ４３８の送信データ格納領域から送信データを順次読み出し、携帯電話機１００が再生可能な形式で符号化処理し、バッファ４３８の符号化データ格納領域に格納する（ステップＳ３０５）。そして、ストリーミング配信部４４２がバッファ４３８の符号化データ格納領域から順次符号化データを読み出しなからインタフェース部４３０を介して携帯電話機１００に対してストリーミング配信する（ステップＳ３０７）。
【０１４２】
一方、ステップＳ２２５の後、コンテンツ配信サーバ２００では、コンテンツ配信部２３４が、コンテンツ情報テーブル２３６を参照して、コンテンツＩＤに対応するコンテンツを広告コンテンツ格納部３８から読み出し、配信パターンに従って、インタフェース部２０２を介して携帯電話機１００に広告コンテンツを配信する（ステップＳ２２７）。
【０１４３】
そして、携帯電話機１００では、コンテンツダウンロード部３０６がインタフェース部１４０を介してコンテンツ配信サーバ２００から広告コンテンツをダウンロードする（ステップＳ１８３）。そして、コンテンツ実行部３０８が決定部１８４が決定したコンテンツＢと、広告コンテンツとを実行し（ステップＳ１８５）、図２３の第２コンテンツ画面４２０のメインコンテンツ表示部９０およびＰＲ画像表示部４２４に表示する。
【０１４４】
同時に、ストリーミングサーバ４００からは、ストリーミング配信されたイメージ画像が動画コンテンツ受信部３２０によってインタフェース部１４０を介して受信され（ステップＳ１８７）、バッファ３２２の受信データ格納領域に一時的に格納される。デコーダ３２４は、バッファ３２２の受信データ格納領域から順次動画データを読み出し、復号し、バッファ３２２の復号データ格納領域に格納する（ステップＳ１８９）。
【０１４５】
そして、コンテンツ実行部３０８がバッファ３２２の復号データ格納領域から順次復号データを読み出し、図２３の第２コンテンツ画面４２０のイメージ動画表示部４２２に再生表示する。利用者６０は、携帯電話機１００のＬＣＤ１１８上の第２コンテンツ画面４２０にて、メインコンテンツ表示部９０にコンテンツＢの実行結果、イメージ動画表示部４２２にイメージ動画、ＰＲ画像表示部４２４にＰＲ画像を視聴することができる（ステップＳ３１）。
【０１４６】
この状態で、利用者６０が第２コンテンツ画面４２０の終了ボタン９４を押下すると（ステップＳ１９）、携帯電話機１００において、第２操作受付部１８８が第２操作として受け付ける（ステップＳ１１７）。以降、ステップＳ１１９およびステップＳ１２１は、図２１と同様であり、第２操作の受け付けに呼応して、コンテンツＣが実行され、ＬＣＤ１１８に表示される。
【０１４７】
以上説明したように、本実施形態のコンテンツ配信システム１によれば、ストリーミングサーバ４００を備えたことにより、携帯電話機１００における利用者６０の第１操作に呼応して提供されるコンテンツに、動画像コンテンツを含むことができ、配信することができるので、今までにない動きのある臨場感溢れる広告表示をすることが可能となり、顧客訴求力のある宣伝広告表示を効果的に行い、広告効果を向上させることができる。
【０１４８】
（第四の実施の形態）
図２８は、本発明の実施の形態に係るコンテンツ配信システム１における、アプリケーションプログラムの一例を説明するための図である。本実施形態において、このアプリケーションプログラムは携帯電話機１００にて実行され、通勤または通学時などの朝夕の交通機関利用中の時間を活用して、楽しめる娯楽的要素を含むコンテンツを利用者６０に提供する。たとえば、交通機関利用時に、経路などの条件を設定した後、乗車時にボタンを操作して計時を開始させ、降車時にボタンを操作して計時を終了し、乗車時間を算出し、標準乗車時間と比較を行い、合致した場合には、振動、光、効果音を伴って、利用者６０に当選を通知するとともに、景品またはポイントなどのインセンティブが付与されるものとする。
【０１４９】
図２８に示すように、本アプリケーションプログラムが携帯電話機１００において実行されると、ＬＣＤ１１８に利用条件入力画面５００が表示される。利用条件入力画面５００は、利用交通機関選択欄５０２と、出発駅入力欄５０４と、到着駅入力欄５０６と、確定ボタン５０８と、を含む。利用者６０は、操作キー１１４を操作して、利用交通機関選択欄５０２の利用交通機関を選択し、出発駅を出発駅入力欄５０４に入力し、到着予定駅を到着駅入力欄５０６に入力した後、確定ボタン５０８を押下する。利用交通機関選択欄５０２は、たとえば、電車やバス、飛行機など利用交通機関の種別が選択肢として含まれる。
【０１５０】
経路確認画面５１０に画面が移行し、利用条件入力画面５００で指定された条件に従って作成された経路が経路表示部５１２に表示され、ＯＫボタン５１４が表示される。ここで、経路表示部５１２には、後述する経路情報データベースから取得した情報が表示される。経路が違っている場合は、修正も可能とするが、ここでは発明の本質に関わらないので、詳細な説明は省略する。
【０１５１】
ＯＫボタン５１４が押下されると、開始画面５２０に移行し、確定した経路が経路表示部５２２に表示される。乗車ボタン５２４を利用者６０が押下すると、第２コンテンツ画面５３０に移行する。第２コンテンツ画面５３０は、イメージ動画表示部５３２と、ＰＲ画像表示部５３４と、下車ボタン５３６と、を含む。イメージ動画表示部５３２には、たとえば、乗車駅周辺の観光スポットやお勧めスポットなどのイメージ動画が表示される。ＰＲ画像表示部５３４には、たとえば、イメージ動画表示部５３２に表示されているスポット周辺の店舗の宣伝広告の画像が表示される。ＰＲ画像表示部５３４には、発呼指示タグ（Ｐｈｏｎｅ  ｔｏ）５４０、メール送信指示タグ（ｍａｉｌ  ｔｏ）５４２、およびウェブアクセス指示タグ（ｗｅｂ  ｔｏ）５４４などを割り付けることができ、ＰＲ画像表示部５３４を利用者６０が押下することによって、それぞれ発呼処理５４１、メーラー起動処理５４３、およびウェブページ閲覧処理５４５を実行させることができる。
【０１５２】
電車が到着駅に到着し、下車したとき、利用者６０は、第２コンテンツ画面５３０の下車ボタン５３６を押下すると、第３コンテンツ画面５５０に移行する。第３コンテンツ画面５５０には、判定結果表示部５５２と、獲得ポイント表示部５５４と、累計ポイント表示部５５６と、が含まれる。判定結果表示部５５２には、乗車時間の結果と、標準時間が含まれる。そして、獲得ポイント表示部５５４には、結果に基づいて判定されたポイントが表示され、累計ポイント表示部５５６に今までの総獲得ポイントが表示される。
【０１５３】
図２９は、本実施形態のコンテンツ配信システム１の構成を示す機能ブロック図である。本実施形態のコンテンツ配信サーバ２００は、図２４のコンテンツ配信サーバ２００のコンテンツ要求受信部２３０に替えてコンテンツ要求受信部２５０を備え、図２４のコンテンツ配信サーバ２００と同様なコンテンツ決定部２３２と、コンテンツ配信部２３４と、コンテンツ情報テーブル２３６（図２９には不図示）と、動画要求部２３８と、を備える。さらに、本実施形態のコンテンツ配信サーバ２００は、上記構成に加え、時間記録部２５８と、時間算出部２６０と、判定部２６２と、経路情報データベース２６４と、インセンティブ付与部２６６と、インセンティブテーブル２６８と、ポイント記憶部２７０と、を備える。コンテンツ要求受信部２５０は、第１時刻受信部２５２と、第２時刻受信部２５４と、利用条件受信部２５６と、を含む。
【０１５４】
また、携帯電話機１００は、図２４のコンテンツ要求部３０４に替えて、コンテンツ要求部３５２を備え、さらに、利用条件受付部３５０を備える。
【０１５５】
利用条件受付部３５０は、図２８の利用条件入力画面５００で指定された条件の入力を受け付け、コンテンツ要求部３５２に通知する。コンテンツ要求部３５２は、利用条件受付部３５０から利用条件を、位置情報取得部３０２から位置情報を、第１操作受付部１８２から第１時刻を、第２操作受付部１８８から第２時刻を受け取り、コンテンツ要求として、インタフェース部１４０を介してコンテンツ配信サーバ２００に送信する。
【０１５６】
コンテンツ配信サーバ２００のコンテンツ要求受信部２５０では、インタフェース部２０２を介して携帯電話機１００からコンテンツ要求を受信する。コンテンツ要求受信部２５０において、第１時刻受信部２５２がコンテンツ要求に含まれる第１時刻を受信し、第２時刻受信部２５４がコンテンツ要求に含まれる第２時刻を受信する。そして、利用条件受信部２５６は、コンテンツ要求に含まれる利用条件を受信する。利用条件受信部２５６が受信した利用条件は、利用状況記録２１４に記録される。
【０１５７】
第１時刻受信部２５２および第２時刻受信部２５４が受信した第１時刻および第２時刻は時間記録部２５８に記録される。また、時間算出部２６０は、時間記録部２５８に記録された第１時刻および第２時刻に基づいて、第１時刻および第２時刻の間の経過時間を算出し、時間記録部２５８に記録する。図３０に時間記録部２５８の構造の一例を示す。時間記録部２５８は、第１時刻を受け付けた順にレコードが生成され、シリアル番号が採番され、管理される。レコード毎に、第１時刻、第２時刻、および経過時間が記録される。なお、図３０では、所定の利用者６０に関する時間情報のみ示してある。コンテンツ配信サーバ２００では、各利用者６０について、時間記録部２５８を設け、管理することができる。
【０１５８】
判定部２６２は、利用状況記録２１４を参照し、利用条件、たとえば、利用交通機関、出発駅、到着駅、利用時間などの条件を取得し、さらに、経路情報データベース２６４を参照し、標準乗車時間を取得する。そして、判定部２６２は、時間算出部２６０で算出された経過時間が、標準乗車時間と一致するか否かを判定する。経路情報データベース２６４には、交通機関毎の経路毎の標準乗車時間などの情報が記録されている。インセンティブ付与部２６６は、判定部２６２の判定結果に応じて、利用者６０に付与されるインセンティブを決定する。インセンティブテーブル２６８は、図３１に示すように、実際の乗車時間と標準時間との時間差毎に、利用者６０に付与されるポイントが規定されている。たとえば、実際の乗車時間と標準時間が合致し、時間差が０秒の場合は、１００ポイント、プラスマイナス１秒の場合は９０ポイントが利用者６０に付与されることとなる。このようにして決定されたポイントは、ポイント記憶部２７０に記憶され、利用者６０毎に累計される。図３２にポイント記憶部２７０の構造の一例を示す。ポイント記憶部２７０は、利用者６０のユーザＩＤ毎に累計ポイントと最終獲得ポイントなどが記憶される。
【０１５９】
コンテンツ決定部２３２は、ポイント記憶部２７０を参照し、図２８の第３コンテンツ画面５５０において、獲得ポイント表示部５５４および累計ポイント表示部５５６にポイントを表示するように携帯電話機１００に配信するコンテンツにポイント情報を含める。
【０１６０】
このように構成された本実施形態のコンテンツ配信システム１の動作について、以下に説明する。図３３および図３４は、本実施形態のアプリケーションプログラムを携帯電話機１００にて実行したときのコンテンツ配信システム１の動作の一例を示すフローチャートである。
【０１６１】
なお、上記実施形態のコンテンツ配信システム１のフローチャートにおける手順と同様なものについては、同じステップ番号を付し、適宜説明を省略する。
【０１６２】
まず、利用者６０は、本アプリケーションプログラムをメニュー画面などから選択する（ステップＳ１１）。携帯電話機１００において、アプリケーションプログラムが起動され（ステップＳ１０１）、コンテンツ配信サーバ２００に接続し、必要に応じてユーザ認証を行う（ステップＳ１０３およびステップＳ２０１）。ステップＳ１０１でアプリケーションプログラムが実行されると、コンテンツＡが実行され（ステップＳ１０７）、携帯電話機１００のＬＣＤ１１８に図２８の利用条件入力画面５００が表示される（ステップＳ３１）。利用者６０は、利用条件入力画面５００にて各条件を入力する（ステップＳ３３）。
【０１６３】
そして、携帯電話機１００にて、利用条件受付部３５０が操作受付部１１６を介して入力された条件を受け付ける（ステップＳ４０１）。そして、利用者６０が確定ボタン５０８を押下し、経路確認画面５１０で経路を確認し、ＯＫボタン５１４を押下すると、開始画面５２０が表示され、携帯電話機１００は、第１操作待ち状態となる（ステップＳ４０３）。そして、利用者６０は電車に乗り込み、開始画面５２０の乗車ボタン５２４を押下する（ステップＳ３５）。
【０１６４】
携帯電話機１００では、第１操作受付部１８２が操作受付部１１６を介して乗車ボタン５２４の押下を第１操作として受け付ける（ステップＳ１０９）。このとき、第１操作受付部１８２は、第１操作を受け付けたときの時刻を計時部１１２から取得し、第１時刻としてコンテンツ要求部３５２に通知する。コンテンツ要求部３５２は、利用条件受付部３５０が受け付けた利用条件と、第１操作受付部１８２が取得した第１時刻を、コンテンツ要求に含めて、インタフェース部１４０を介してコンテンツ配信サーバ２００に送信する（ステップＳ４０５）。
【０１６５】
コンテンツ配信サーバ２００では、インタフェース部２０２を介してコンテンツ要求受信部２５０がコンテンツ要求を受信する（ステップＳ２３１）。コンテンツ要求に含まれる第１時刻を第１時刻受信部２５２が受信し時間記録部２５８に記録するとともに、利用条件受信部２５６が利用条件を受信し、利用状況記録２１４に記録する。
【０１６６】
コンテンツ配信サーバ２００において図２７のステップＳ２２３〜ステップＳ２２７と同様に動作し、ストリーミングサーバ４００において図２７のステップＳ３０１〜ステップＳ３０７と同様に動作し、携帯電話機１００において図２７のステップＳ１８３〜ステップＳ１８９と同様に動作する。このようにして、利用者６０は、図２８に示す第２コンテンツ画面５３０を視聴することができる。たとえば、出発駅が新宿駅であるので、イメージ動画表示部５３２には、新宿副都心の観光名所である都庁や新宿御苑などの映像がストリーミングサーバ４００からストリーミング配信されて表示される。また、ＰＲ画像表示部５３４には、新宿歌舞伎町の居酒屋などの宣伝画像が表示される。利用者６０は、これらの情報を交通機関利用中に視聴することができる（ステップＳ３７）。このようにして、利用者６０は、通学や通勤などの交通期間利用時の退屈さを解消することができる。
【０１６７】
本実施形態において、ステップＳ２２３で決定されるコンテンツは、たとえば、利用時間に従って決定されてもよいが、利用条件として入力された出発駅や到着駅、あるいは、携帯電話機１００の位置情報などからエリアを特定して、エリアに対応付けられたコンテンツを決定することもできる。すなわち他の例において、配信テーブルは、利用条件などの情報や、位置情報にコンテンツＩＤを対応付けて記憶することもできる。あるいは、利用者６０の属性情報、たとえば性別、年齢、職業毎にコンテンツＩＤを対応付けて記憶することもできる。
【０１６８】
図３４に進み、電車が目的地に到着したとき、利用者６０は、第２コンテンツ画面５３０の下車ボタン５３６を押下する（ステップＳ３９）。携帯電話機１００において、第２操作受付部１８８が下車ボタン５３６の押下を第２操作として受け付ける（ステップＳ４０７）。第２操作受付部１８８は、第２操作を受け付けたとき、計時部１１２から時刻を取得し第２時刻としてコンテンツ要求部３５２に通知する。コンテンツ要求部３５２は、コンテンツ要求に第２時刻を含めてインタフェース部１４０を介してコンテンツ配信サーバ２００に送信する（ステップＳ４０９）。
【０１６９】
コンテンツ配信サーバ２００では、インタフェース部２０２を介してコンテンツ要求受信部２５０がコンテンツ要求を受信する。第２時刻受信部２５４がコンテンツ要求に含まれる第２時刻を受信し、時間記録部２５８に記録する（ステップＳ２３３）。そして、時間算出部２６０が、時間記録部２５８に記録された第１時刻および第２時刻に基づいて、経過時間を算出し、時間記録部２５８に記録する（ステップＳ２３５）。
【０１７０】
そして、判定部２６２は、利用状況記録２１４から利用条件を取得し、該当する経路の標準乗車時間を経路情報データベース２６４から取得する。判定部２６２は、時間算出部２６０が算出した経過時間と標準乗車時間を比較する（ステップＳ２３７）。そして、インセンティブ付与部２６６が、判定部２６２の判定結果に基づいて、インセンティブテーブル２６８を参照し、該当するポイントを取得し、利用者６０に付与するインセンティブを決定する。
【０１７１】
そして、インセンティブ付与部２６６は、ポイント記憶部２７０に利用者６０のポイントを加算する（ステップＳ２３９）。コンテンツ決定部２３２は、携帯電話機１００に配信するコンテンツに取得したポイント情報を含める。コンテンツ配信部２３４はコンテンツ決定部２３２が決定したコンテンツを携帯電話機１００に配信する（ステップＳ２４１）。携帯電話機１００において、インタフェース部１４０を介してコンテンツダウンロード部３０６がコンテンツ配信サーバ２００からコンテンツをダウンロードする（ステップＳ４１１）。コンテンツ実行部３０８がダウンロードされたコンテンツを実行し（ステップＳ１２１）、図２８の第３コンテンツ画面５５０をＬＣＤ１１８に表示する。このとき、判定結果に応じて、たとえば、振動、光、効果音などをそれぞれ出力することもできる。利用者６０は、結果を視聴し、獲得ポイントを確認することができる（ステップＳ４１）。そして、利用者６０がアプリケーションプログラムの終了を選択すると（ステップＳ４３）、携帯電話機１００が終了を受け付け（ステップＳ４１３）、コンテンツ配信サーバ２００との接続を切断する処理を行う（ステップＳ４１５）。コンテンツ配信サーバ２００は、携帯電話機１００からの切断要求に応じて、携帯電話機１００との接続の切断処理を行う（ステップＳ２４３）。
【０１７２】
以上説明したように、本実施形態のコンテンツ配信システム１によれば、利用者６０の通勤、通学などの交通機関利用時の退屈さを解消し、その細切れ時間を活用しながらインセンティブを利用者６０は期待できるので、一定時間、携帯電話機１００を保持せざるをえない状況を作り出し、その一定時間を利用して、動的な動画配信と広告画像表示、すなわち、演出とキャッチアップを可能とする。これにより極めて有益なモバイルキャリアを用いた広告宣伝が期待できる。また、現実の路線通過中に本実施形態のアプリケーションプログラムは実行される蓋然性が高いため、広告の顧客訴求に期待するスポンサーの高いニーズを満たすことができる。
また、本実施形態のアプリケーションプログラムは、交通機関利用時に実行される必然性はなく、娯楽的に、利用者６０の細切れ時間の活用時において、利用可能であり、遊技性を有する広告表示を展開することが可能となる。
あるいは、他の実施形態において、位置情報から利用者６０が本当に移動中なのか否かを判定する判定部を設けることもできる。本当の移動中の場合、より高いインセンティブを付与することもできる。また、利用者６０のプロファイル情報や利用時間帯から通勤または通学中であるか否かを判定する判定部に、当選合致時間（秒単位）の誤差を利用時間帯などに応じて広げるなどの加重判定条件を組み合わせる構成とすることもできる。
【０１７３】
（第五の実施の形態）
図３５は、本発明の実施の形態に係るコンテンツ配信システム１の構成を示すブロック図である。本実施形態のコンテンツ配信システム１は、図２２の上記実施形態のコンテンツ配信システム１の構成に加え、ストリーミングサーバ４００にネットワーク４７０を介して接続されたエンコーダ４６０およびカメラ４６２を備えた点で相違する。本実施形態では、カメラ４６２で撮影されたライブ映像をエンコーダ４６０にて符号化し、ストリーミングサーバ４００から携帯電話機１００に配信可能とする。携帯電話機１００では、カメラ４６２で撮影されたライブ映像を再生可能であり、利用者６０は配信されたライブ映像を視聴することができる。
【０１７４】
図３６に示すように、本実施形態の携帯電話機１００では、コンテンツ配信サーバ２００からダウンロードされたアプリケーションプログラムが実行されると携帯電話機１００のＬＣＤ１１８に第１コンテンツ画面８０が表示される。第１コンテンツ画面８０は、上記実施形態の図３と同様である。
【０１７５】
本実施形態では、第１コンテンツ画面８０が表示されている状態で利用者６０が開始ボタン８４を押下すると、第２コンテンツ画面６００がＬＣＤ１１８に表示されることとなる。第２コンテンツ画面６００は、イメージ動画表示部６０２およびＰＲ動画表示部６０４を含むメインコンテンツ表示部９０と、終了ボタン９４と、を含む。
【０１７６】
第２コンテンツ画面６００には、コンテンツＢが実行された結果が表示される。イメージ動画表示部６０２およびＰＲ動画表示部６０４には、たとえば、カメラ４６２で撮影されたライブ画像をストリーミングサーバ４００から配信させて表示させることができる。ＰＲ動画表示部６０４には、イメージ動画表示部６０２に表示された動画像に関連付けられた宣伝や広告内容を含む広告コンテンツが実行された結果を表示することができる。各コンテンツの実行において、ＬＣＤ１１８への画面表示だけでなく、ＬＥＤ１２０の点灯点滅制御やスピーカ１２４から音声出力、振動部１２８の振動制御がなされてもよい。これにより、臨場感溢れるコンテンツを利用者６０に提供することが可能となる。
【０１７７】
本実施形態において、イメージ動画表示部６０２に再生表示される動画像は、上記図２３で説明したイメージ動画表示部４２２に再生表示される動画像と同様であるので、詳細な説明は省略する。ＰＲ動画表示部６０４に表示されるＰＲ動画は、複数のパターンで再生表示制御される。たとえば、パターンＡでは、一ＰＲ画像ａのみが終了ボタン９４が押下されるまで再生表示される。パターンＢでは、複数のＰＲ動画ａ、ＰＲ動画ｂ、・・・ＰＲ動画ｅが、所定時間間隔毎に繰り返し再生表示され、終了ボタン９４の押下によって再生表示が終了する。パターンＣでは、一ＰＲ動画ａのみが所定時間再生表示される。パターンＤでは、複数のＰＲ動画ａ、ＰＲ動画ｂ、およびＰＲ動画ｃが、所定時間再生表示される。
【０１７８】
図３７は、本実施形態のコンテンツ配信システム１において、あるアプリケーションプログラム実行時の携帯電話機１００の画面推移を示す図である。本実施形態の携帯電話機１００が実行するアプリケーションプログラムは、たとえば、宴会や会食などを開催する際の店舗検索を行うプログラムを例として説明する。
【０１７９】
本実施形態において、このアプリケーションプログラムは携帯電話機１００にて実行され、設定された条件で店舗検索を行い情報を提供するとともに、店舗を探し始めてから、店舗に予約またはコンタクトを取るまでの所要時間に応じて、利用者６０にポイント還元を行うものとする。
【０１８０】
図３７に示すように、はじめに検索条件入力画面６１０が表示され、各条件を入力する。検索条件入力画面６１０は、エリア選択欄６１２と、開催日入力欄６１４と、開始時刻入力欄６１６と、人数入力欄６１８と、ジャンル選択欄６２０と、予算選択欄６２２と、検索開始ボタン６２４と、を含む。エリア選択欄６１２で希望エリアを選択し、開催日入力欄６１４に開催予定日を入力する。開始時刻入力欄６１６に開始予定時刻を入力し、人数入力欄６１８に人数を入力する。ジャンル選択欄６２０で希望のお店のジャンルを選択し、予算選択欄６２２で予算を選択する。条件の設定が終了したら、検索開始ボタン６２４を押下し、第１検索結果店舗紹介画面６３０に画面が移行する。なお、この検索開始ボタン６２４の押下が第１操作として受け付けられ、第１検索結果店舗紹介画面６３０は、条件に合致した店舗が順に紹介される。ここでは、２０件の店舗が条件に合致し、その１件目の店舗の情報が表示されているものとする。
【０１８１】
第１検索結果店舗紹介画面６３０は、バナー広告部６３２と、イメージ動画表示部６３４と、ＰＲ動画表示部６３６と、決定ボタン６３８と、戻るボタン６４０と、次へボタン６４２と、を含む。バナー広告部６３２は、検索された店舗のバナー広告が表示される。イメージ動画表示部６３４は、店内や店外の状況などのライブ映像を表示することもできる。ＰＲ動画表示部６３６には、店舗の本日のお勧めメニューや特典などの情報や宣伝の動画像を表示することができる。決定ボタン６３８は、第１検索結果店舗紹介画面６３０に表示されている店舗に予約を入れる場合に押下するボタンである。戻るボタン６４０は、条件入力画面に戻る場合に押下する。次へボタン６４２は、次の店舗情報を参照するとき押下する。
【０１８２】
次へボタン６４２が押下されると第１検索結果店舗紹介画面６３０から第２検索結果店舗紹介画面６５０に移行する。第２検索結果店舗紹介画面６５０でも同様に、バナー広告部６３２、イメージ動画表示部６３４、ＰＲ動画表示部６３６、決定ボタン６３８、戻るボタン６４０、および次へボタン６４２を含む。さらに第２検索結果店舗紹介画面６５０は前へボタン６５２を含み、これは、前の店舗情報を参照する場合に押下する。
【０１８３】
第１検索結果店舗紹介画面６３０または第２検索結果店舗紹介画面６５０において、バナー広告部６３２または決定ボタン６３８を押下することにより、店舗の予約を行うことができる。
【０１８４】
バナー広告部６３２および決定ボタン６３８には、発呼タグまたはメール送信タグが割り付けられており、発呼指示６６０またはメール指示６７０が実行される。発呼指示６６０の場合、店舗の電話番号に対して発呼処理６６２を行う。また、メール指示６７０の場合、メーラーを起動し、メール送信処理６７２が行われる。宛先６７４に店舗のメールアドレスが入力され、件名６７６には「予約申込」などの件名が入力され、本文６７８には、図３７に示すように、申し込み条件が自動的に記載される。また、本文６７８には、利用者６０が必要に応じてコメントを追加することもできる。そして、利用者６０は、このメールの送信操作を手動で行い、店舗に予約を行うことができる。
【０１８５】
なお、メール指示６７０で送信されたメールの処理については、店舗側の運用に従って処理されることなので、本発明の本質に関わらないので詳細な説明は省略する。たとえば、店舗側は、予約受注確認のメールを利用者６０のメールアドレス宛に返信することができる。
【０１８６】
本実施形態のコンテンツ配信システム１においては、実際に予約がなされたか否かには関係なく、予約申し込みの動作を利用者６０が行い、コンテンツ配信システム１がその動作を受け付けた否かによって以後の動作が決まる。
【０１８７】
コンテンツ配信サーバ２００では、携帯電話機１００がバナー広告部６３２または決定ボタン６３８を押下し、発呼処理６６２またはメール送信処理６７２を行った後、第３コンテンツ画面６８０を表示する。なお、本実施形態において、バナー広告部６３２または決定ボタン６３８の押下を第２操作として受け付ける。第１操作から第２操作までの経過時間に応じて、コンテンツが決定され、第３コンテンツ画面６８０が表示される。第３コンテンツ画面６８０は、経過時間表示部６８２およびペイバック料金表示部６８４を含む。経過時間表示部６８２は、経過時間が表示され、ペイバック料金表示部６８４には、経過時間に応じて決定されるペイバック料金が表示される。
【０１８８】
たとえば、ペイバック料金表示部６８４を押下すると、割引クーポン画面６９０が表示され、予約した店舗にて利用者６０が提示することにより、指定されている金額の割引サービスを受けることが可能となる。本実施形態において、たとえば、第１操作から第２操作までの経過時間が短いほど、ペイバックされる金額は高額とすることができる。したがって、店舗紹介画面において、早い順位に表示される店舗ほど、受注される可能性が高いため、広告料を高額にすることができる。
【０１８９】
図３８は、本実施形態のコンテンツ配信サーバ２００の要部構成を示す機能ブロック図である。コンテンツ配信サーバ２００は、図２９の構成に加え、さらに、コンテンツ要求受信部２５０に検索条件受信部２５７を含むとともに、検索部２８０と、店舗情報データベース２８２と、ペイバック料金換算部２８４と、ペイバックテーブル２８６と、クーポン発行部２８８と、を含む。
【０１９０】
本実施形態において、コンテンツ要求受信部２５０の検索条件受信部２５７は、コンテンツ要求に含まれる検索条件を受信する。検索部２８０は検索条件受信部２５７から検索条件を受け取り、店舗情報データベース２８２にアクセスし、条件に合致する店舗情報を取得する。店舗情報データベース２８２は、複数の店舗の情報が蓄積されている。たとえば、店舗の名称、連絡先（電話番号、メールアドレス、ホームページアドレス）、所在地、エリア、ジャンル、収容可能人数、座席形態（座敷、椅子など）など各種情報が店舗のコンテンツＩＤに関連付けて記憶されている。検索部２８０は、店舗情報データベース２８２から該当する店舗のコンテンツＩＤを取得し、コンテンツ決定部２３２に通知する。
【０１９１】
時間算出部２６０は、第２時刻受信部２５４が第２時刻を受信したことに呼応して、時間記録部２５８にアクセスし、時間記録部２５８に記録されている第１時刻および第２時刻から経過時間を算出し、時間記録部２５８に記録するとともに、コンテンツ決定部２３２に通知する。
【０１９２】
ペイバック料金換算部２８４は、時間算出部２６０が算出した経過時間に基づいて、ペイバック料金を換算する。ペイバックテーブル２８６は、図３９に示すように経過時間毎にペイバック料金が対応付けられている。ペイバック料金換算部２８４は、ペイバックテーブル２８６を参照し、経過時間に対応するペイバック料金を取得する。クーポン発行部２８８は、ペイバック料金換算部２８４から通知されたペイバック料金に基づいて、クーポン券などの発行処理を行う。具体的には、コンテンツ決定部２３２が決定したコンテンツにペイバック料金を含むクーポン券の画像を含ませるなどの処理を行う。
【０１９３】
また、本実施形態のストリーミングサーバ４００は、図４０に示すＰＲ動画用コンテンツ情報テーブル４３５を備えることができる。コンテンツ情報テーブル４３５には、ＰＲ動画ファイルの格納場所とファイル名が記憶されている。コンテンツ配信サーバ２００においてコンテンツ決定部２３２は決定したコンテンツＩＤを動画要求部２３８を介してストリーミングサーバ４００に配信要求し、ストリーミングサーバ４００にて動画コンテンツ要求受信部４３２がコンテンツＩＤを取得し、動画コンテンツ読出部４３６がコンテンツ情報テーブル４３５を参照し、動画コンテンツ記憶部４１０からＰＲ動画ファイルを読み出し、配信することとなる。
【０１９４】
このように構成された本実施形態のコンテンツ配信システム１の動作について、以下に説明する。図４１および図４２は、本実施形態のコンテンツ配信システム１の動作の一例を示すフローチャートである。上記実施形態と同様な手順には同様のステップ番号を付して、適宜詳細な説明は省略する。
【０１９５】
まず、利用者６０は、本アプリケーションプログラムをメニュー画面などから選択し（ステップＳ１１）、携帯電話機１００において、アプリケーションプログラムが起動される（ステップＳ１０１）。携帯電話機１００は、コンテンツ配信サーバ２００にネットワーク２０を介して接続し、必要に応じてユーザ認証を行う（ステップＳ１０３およびステップＳ２０１）。ステップＳ１０１でアプリケーションプログラムが実行されると、コンテンツＡが実行され（ステップＳ１０７）、携帯電話機１００のＬＣＤ１１８に図３７の検索条件入力画面６１０が表示される（ステップＳ３１）。利用者６０は、検索条件入力画面６１０にて各条件を入力する（ステップＳ３３）。
【０１９６】
そして、携帯電話機１００にて、検索条件受付部３６０が操作受付部１１６を介して入力された店舗の検索条件を受け付ける（ステップＳ４０１）。そして、利用者６０が検索開始ボタン６２４を押下すると（ステップＳ５１）、第１操作受付部１８２が第１操作として受け付ける（ステップＳ１０９）。このとき、第１操作受付部１８２は、第１操作を受け付けたときの時刻を計時部１１２から取得し、第１時刻としてコンテンツ要求部３５２に通知する。コンテンツ要求部３５２は、検索条件受付部３６０が受け付けた検索条件と、第１操作受付部１８２が取得した第１時刻をコンテンツ要求に含めて、インタフェース部１４０を介してコンテンツ配信サーバ２００の送信する（ステップＳ４０５）。
【０１９７】
コンテンツ配信サーバ２００では、インタフェース部２０２を介してコンテンツ要求受信部２５０がコンテンツ要求を受信する（ステップＳ２３１）。コンテンツ要求に含まれる第１時刻を第１時刻受信部２５２が受信し時間記録部２５８に記録するとともに、検索条件受信部２５７が検索条件を受信する。
【０１９８】
一方、エンコーダ４６０では、カメラ４６２にて、コンテンツ配信サーバ２００の店舗情報データベース２８２に登録されている店舗における店内のライブ映像などが撮影され（ステップＳ５０１）、エンコード処理され（ステップＳ５０３）、ネットワーク４７０を介してストリーミングサーバ４００に配信されている（ステップＳ５０５）。ストリーミングサーバ４００では、エンコーダ４６０から配信されたライブ映像を受信している（ステップＳ３１１）。
【０１９９】
ステップＳ２３１の後、コンテンツ配信サーバ２００では、検索部２８０が検索条件受信部２５７が受信した検索条件に従って店舗情報データベース２８２から条件に合致する店舗のコンテンツＩＤを取得する（ステップＳ２３２）。そして、コンテンツ決定部２３２が検索部２８０からコンテンツＩＤを取得し、コンテンツＩＤで指定されたコンテンツを特定する（ステップＳ２２３）。ここでは、たとえば、コンテンツには、図３７に示すように、バナー広告部６３２と、イメージ動画表示部６３４と、ＰＲ動画表示部６３６と、を含むことができる。
【０２００】
そしてコンテンツ決定部２３２は、動画要求部２３８に動画配信要求を指示し、動画要求部２３８がストリーミングサーバ４００に対して動画要求を行う（ステップＳ２２５）。ストリーミングサーバ４００では、動画コンテンツ要求受信部４３２が動画要求を受信し（ステップＳ３０１）、動画コンテンツ読出部４３６が指定された動画ファイルを動画コンテンツ記憶部４１０から読み出す（ステップＳ３０３）。このとき、エンコーダ４６０から配信されているライブ映像を含むこともできる。
【０２０１】
エンコーダ４６０が動画ファイルを符号化し（ステップＳ３０５）、ストリーミング配信部４４２がインタフェース部４３０を介して携帯電話機１００に配信する（ステップＳ３０７）。携帯電話機１００では、ストリーミングサーバ４００から配信された動画ファイルを動画コンテンツ受信部３２０が受信し（ステップＳ１３７）、デコーダ３２４がデコードし（ステップＳ１３９）、コンテンツ実行部３０８がＬＣＤ１１８に表示する。また、コンテンツ配信サーバ２００において、バナー広告部６３２など動画ファイル以外のコンテンツについて、コンテンツ決定部２３２からコンテンツ配信部２３４にコンテンツＩＤにて指示を行い、コンテンツ配信部２３４が携帯電話機１００にコンテンツを配信する（ステップＳ２２７）。ここでは、ステップＳ２３２で検索部２８０が検索した全ての店舗のコンテンツを一括して携帯電話機１００に配信する。ただし、動画像部分については、ファイル指定情報のみをコンテンツに含ませておき、携帯電話機１００にて表示要求されるたびに、ストリーミングサーバ４００に対してストリーミング配信要求を行い、受信するものとする。
【０２０２】
そして、携帯電話機１００では、コンテンツ配信サーバ２００からコンテンツダウンロード部３０６がコンテンツをダウンロードし（ステップＳ１３３）、コンテンツ実行部３０８がコンテンツを実行し（ステップＳ１３５）、たとえば、図３７の第１検索結果店舗紹介画面６３０が表示される。
【０２０３】
このようにして、利用者６０は、図３７の第１検索結果店舗紹介画面６３０を視聴することができる（ステップＳ５３）。第１検索結果店舗紹介画面６３０には、カメラ４６２で撮影されたライブ映像を含むイメージ動画表示部６３４と、予め動画コンテンツ記憶部４１０に記憶されていた動画像を含む店舗のＰＲ動画表示部６３６と、コンテンツ記憶部１０に予め記憶されていたバナー広告を含むバナー広告部６３２と、が表示されることとなる。
【０２０４】
そして、利用者６０が次へボタン６４２を選択すると図３７の第２検索結果店舗紹介画面６５０に示すように次の店舗の紹介画面が表示されることとなる。このとき、必要に応じて、ストリーミングサーバ４００に対して動画像ファイルのストリーミング配信を要求し、動画コンテンツ受信部３２０が受信して、コンテンツ実行部３０８が実行し、ＬＣＤ１１８に再生表示させることができる。
【０２０５】
そして、利用者６０が第１検索結果店舗紹介画面６３０にて店舗を決定し、決定ボタン６３８を押下すると（ステップＳ５９）、携帯電話機１００において、第２操作受付部１８８が第２操作として受け付ける（ステップＳ４２３）。第２操作受付部１８８は第２操作を受け付けたときの時刻を計時部１１２から取得し第２時刻として、コンテンツ要求部３５２に通知する。コンテンツ要求部３５２は、コンテンツ配信サーバ２００にコンテンツ要求を送信する。コンテンツ配信サーバ２００では、コンテンツ要求受信部２５０がコンテンツ要求を受信し（ステップＳ２５１）、コンテンツ要求に含まれる第２時刻を第２時刻受信部２５４が受信し、時間記録部２５８に記録される。時間算出部２６０が時間記録部２５８にアクセスし、第１時刻および第２時刻に基づいて、経過時間を算出し、記録する（ステップＳ２５３）。そして、ペイバック料金換算部２８４が、ペイバックテーブル２８６にアクセスし、経過時間に対応するペイバック料金を決定する（ステップＳ２５５）。クーポン発行部２８８にペイバック料金が通知される。
【０２０６】
一方、携帯電話機１００では、ステップＳ４２３での第２操作の受け付けに呼応して、決定ボタン６３８に対応付けられている発呼指示タグまたはメール送信指示タグによって処理を行う。発呼指示タグが割り付けられている場合（ステップＳ４２５のＹＥＳ）、発呼処理部１９８がコンテンツに含まれる店舗の電話番号に発呼処理を行う準備がなされる（ステップＳ４２７）。利用者６０が発呼を許可すると（ステップＳ６１のＹＥＳ）、実際に店舗に電話をかけて、利用者６０は店に予約をすることができる（ステップＳ６３）。
【０２０７】
あるいは、メール送信指示タグが割り付けられている場合（ステップＳ４２５のＮＯ）、メール送信処理部１９６がメーラーを起動し（ステップＳ４３１）、コンテンツに含まれる店舗のメールアドレスを宛先として送信メールを作成し、送信準備がなされる（ステップＳ４３３）。そして、必要に応じて、利用者６０が本文にコメントを入力すると（ステップＳ６５）、操作受付部１１６が受け付け、本文に記載する（ステップＳ４３５）。利用者６０が送信ボタン（不図示）を押下すると（ステップＳ６７）、携帯電話機１００にて、メール送信処理部１９６がメールを送信し、店舗に予約申し込みを行うことができる（ステップＳ４３７）。
【０２０８】
そして、ステップＳ２５５で決定されたインセンティブ、ここでは、ペイバック料金の情報と、経過時間を含む情報を含むコンテンツを図３４のステップＳ２４１が携帯電話機１００に配信する。そして、携帯電話機１００では、コンテンツをダウンロードし（ステップＳ４１１）、実行され（ステップＳ１２１）、図３７の第３コンテンツ画面６８０が表示され、利用者６０は、判定結果およびペイバック料金を確認することができる（ステップＳ４１）。
【０２０９】
以上説明したように、本発明の実施の形態のコンテンツ配信システム１によれば、利用者６０の第１操作に呼応して提供されるコンテンツに、ライブ映像を配信可能な構成としたことで、より顧客訴求力のある宣伝広告表示を効果的に行い、広告効果を向上させることができる。
他の実施形態において、携帯電話機１００の位置情報に対応する周辺情報（イベント情報、交通情報、天候情報など）を取得する周辺情報取得部と、周辺情報に応じて（たとえば、悪天候時、渋滞時、イベント開催時など）、ペイバック料金加算を行う加算部と、を設けることもできる。
【０２１０】
（第六の実施の形態）
図４３は、本発明の実施の形態に係るコンテンツ配信システム１において、携帯電話機１００が実行するアプリケーションプログラムの一例として「待ち合わせ占い」について説明する。「待ち合わせ占い」とは、待ち合わせ時間を利用して、利用者が携帯電話機１００の操作キーを押下して待ち時間の長さをストップウォッチ計測し、時刻や計測時間に応じて占いを行い、その結果を携帯電話機１００に提供するものである。
【０２１１】
この「待ち合わせ占い」において、利用者は待ち時間などの「細切れ時間」を利用することができ、携帯電話機１００において操作キーの第１操作から第２操作の間の経過時間を測定し、経過時間に応じた占い結果を情報として利用者に提示することができる。
【０２１２】
図４４は、本実施形態の携帯電話機１００の要部構成を示す機能ブロック図である。本実施形態の携帯電話機１００は、上記実施形態の携帯電話機１００の構成に加え、利用状況記録部７５０を備える。利用状況記録部７５０は、図４５に示すように、携帯電話機１００によるアプリケーションプログラムの利用状況が記録される。ここでは、利用したアプリケーションプログラムのコンテンツＩＤ、位置情報、拡張エリア、利用年月日時、および利用回数を含む。
【０２１３】
また、本実施形態の携帯電話機１００において、コンテンツＣを決定する際使用する対応テーブル１７６は、図４６に示すような構造を有することができる。この例では、経過時間毎に待ち合わせの相手と予定とにコンテンツＩＤが関連付けられている。
【０２１４】
図４４に戻り、決定部１８４は、第１操作受付部１８２が第１操作を受け付けたことに呼応して、利用状況記録部７５０にアクセスし、位置情報を取得し、広告コンテンツ用の対応テーブル１７５に基づいてコンテンツを決定することもできる。図１２の広告コンテンツ用の対応テーブル１７５では、第１時刻（利用時間）にコンテンツＩＤが対応付けられているが、本実施形態において、広告コンテンツ用の対応テーブル１７５は、位置情報または利用者６０のプロフィール情報（性別、年齢、職業など）に対応付けられたコンテンツＩＤが記憶される。
【０２１５】
位置情報に対応付けられているコンテンツは、たとえば、お勧めスポット情報、店舗広告、周辺気象情報、渋滞情報、交通情報などを示す画像または動画像ファイルとすることができる。音声ファイルを含むこともできる。あるいは、振動部やＬＥＤの動作を制御するプログラムを含むこともできる。
【０２１６】
図４３に戻り、待ち合わせ占いアプリが起動されると、待ち合わせ占い画面７１０が携帯電話機１００のＬＣＤ１１８に表示される。そして、条件入力画面７２０に移行する。条件入力画面７２０は、待ち合わせ相手や今日の予定を選択する選択肢ラジオボタン７２２と、条件入力指示ボタン７２４と、含む。
【０２１７】
条件入力指示ボタン７２４を利用者６０が押下すると、第１コンテンツ表示画面７３０に移行する。この条件入力指示ボタン７２４の押下は第１操作受付部１８２により第１操作として受け付けられる。第１コンテンツ表示画面７３０は、広告バナー７３２と、イメージコンテンツ表示部７３４と、広告コンテンツ表示部７３６と、確定指示ボタン７３８と、を含む。広告バナー７３２、イメージコンテンツ表示部７３４および広告コンテンツ表示部７３６には、たとえば、第１時刻、あるいは、携帯電話機１００の位置情報や利用者６０のプロフィール情報に基づいて決定されたコンテンツが実行されて表示される。たとえば、携帯電話機１００の位置情報に基づいて、近隣のお勧めスポットの紹介画像をイメージコンテンツ表示部７３４に表示させたり、近隣店舗の広告バナーを広告バナー７３２に表示させたりすることができる。
【０２１８】
確定指示ボタン７３８を利用者６０が押下すると、第２操作受付部１８８が第２操作として受け付け、第２コンテンツ表示画面７４０に移行する。第２コンテンツ表示画面７４０には、第２操作受付部１８８が第２操作を受け付けたことに呼応して、決定部１８４が対応テーブル１７６にアクセスし、経過時間および待ち合わせ相手や予定から対応するコンテンツＩＤを取得する。コンテンツが実行されると結果コンテンツ表示部７４２に占い結果が表示されることとなる。
【０２１９】
このように、利用者の日常の充たされていない生活シーンや行動シーンを総括する「細切れ時間」という行動空間をターゲットとしてモバイルデジタルコンテンツを提供しつつ、並行して宣伝広告内容を含むコンテンツを提供することにより、コンテンツ提供による宣伝広告効果を飛躍的に向上させることが可能となる。
【０２２０】
携帯電話機１００に配信される広告コンテンツに対して企業から支払われる広告料は、上記の例のように複数の動画像が順次表示されるような場合には、表示開始当初に表示されるコンテンツほど料金を高くすることができる。これは、表示開始時ほど利用者６０が注目する確率が高いからである。
【０２２１】
このように、利用者の日常の充たされていない生活シーンや行動シーンを総括する「細切れ時間」という行動空間をターゲットとしてモバイルデジタルコンテンツを提供し、利用者がコンテンツに注視している間に、並行して宣伝広告コンテンツを提供することにより、広告効果を向上させることができる。
【０２２２】
以上説明したように、本実施形態のコンテンツ配信システム１によれば、コンテンツ決定および表示条件が時系列的判定であるとともに、コンテンツを実行時、時系列判定の時間的制約の中で、利用者が注視している画面上に広告表示などを動画像で提供することができるので、モバイルデジタルコンテンツ提供時に顧客訴求力のある宣伝広告表示を効果的に行い、広告効果を向上させることができる
【０２２３】
（第七の実施の形態）
本発明の実施の形態に係るコンテンツ配信システム１におけるアプリケーションプログラムの他の例として、「たばこ占い」について以下に説明する。図４７は、本実施形態のコンテンツ配信システム１における「たばこ占い」を説明するための図である。本実施形態のコンテンツ配信システム１は、上記実施形態のコンテンツ配信システム１と同様な構成を有する。上記実施形態とは、携帯電話機１００で実行されるコンテンツのアプリケーションプログラムが、「たばこ占い」である点が相違する。
【０２２４】
図４７に示すように、本実施形態のたばこ占いコンテンツとは、利用者６０が喫煙する時間を計測し、計測された喫煙時間に基づいて占いを行い、診断結果を利用者６０に提示するものである。利用者６０は、一方の手にたばこ、他方の手に携帯電話機１００を持ち、喫煙中に携帯電話機１００上に提供される動画などのコンテンツを視聴することができる。さらには、喫煙後に、利用者６０に喫煙時間に基づく占い結果を提供することができ、喫煙行為時の至福のひとときに、より一層の楽しみを演出することができる。
【０２２５】
利用者６０がたばこに火を付け、たばこ占いのたばこ占い開始画面８１０の開始ボタン８１２を操作すると、携帯電話機１００において、第１操作受付部１８２が操作受付部１１６を介して開始ボタン８１２の操作を受け付ける。第１操作受付部１８２が第１操作を受け付けたことに呼応して、決定部１８４がコンテンツを決定し、たばこ占い終了受付画面８２０を表示する。
たばこ占い終了受付画面８２０は、メインコンテンツ表示部８２２と、広告コンテンツ表示部８２４と、終了ボタン８２６と、を含む。利用者６０は、喫煙時間中、たばこを一方の手で吸いながら、他方の手に携帯電話機１００を持ちながら、携帯電話機１００のＬＣＤ１１８上に表示されたたばこ占い終了受付画面８２０を視聴することができる。
メインコンテンツ表示部８２２および広告コンテンツ表示部８２４に表示されるコンテンツは、たとえば、利用者６０のプロフィール情報に基づいて、決定することができる。
【０２２６】
そして、利用者６０がたばこを吸い終わったとき、終了ボタン８２６を操作し、第２操作受付部１８８が第２操作として受け付ける。そして、決定部１８４がコンテンツを決定し、たばこ占いの結果がＬＣＤ１１８上のたばこ占い結果画面８３０に表示される。
【０２２７】
たばこ占い結果画面８３０は、本数表示部８３２と、経過時間表示部８３４と、診断結果表示部８３６と、動画表示部８３８と、を含む。ここでは、診断結果表示部８３６に占い結果のコンテンツが表示され、動画表示部８３８に広告コンテンツとしてＰＲ画像が所定の動作パターンで表示される。このようにして、利用者６０は、たばこ占いの結果と、広告動画像を視聴することができる。
【０２２８】
以上説明したように、本実施形態のコンテンツ配信システム１におけるたばこ占いコンテンツによれば、たばこを吸っている手の他方の手に携帯電話機１００を持ち、喫煙開始をトリガとして、３〜５分の喫煙時間に利用者にモバイルコンテンツを提供する際、利用者６０が注視しているコンテンツ画像に並行して広告画像を提供することができるので、広告効果が向上する。さらに、喫煙終了をトリガとして、利用者に喫煙時間に基づく占い結果を提供するとともに、並行して広告動画像を提供することができるので、さらに広告効果が向上する。このように、利用者６０に、喫煙行為時の至福のひとときに、より一層の楽しみを演出することができるだけでなく、利用者６０が楽しんで視聴しているコンテンツ画像に加えて宣伝広告コンテンツ画像を表示させることができるので、広告コンテンツへの注目度も向上し、宣伝効果が向上する。
【０２２９】
以上、図面を参照して本発明の実施形態について述べたが、これらは本発明の例示であり、上記以外の様々な構成を採用することもできる。なお、本発明において利用者に関する情報を取得、利用する場合は、これを適法に行うものとする。
【０２３０】
たとえば、携帯端末格納プログラムにおいて、第２時刻から次の第１時刻の間の継続時間毎に複数の第１コンテンツを対応付けた第４条件テーブルを含むことができ、コンピュータ（携帯電話機１００のＣＰＵ１０２）を、時刻を取得する手段が第１時刻を取得したとき、該第１時刻の直前の第２時刻および当該第１時刻の間の継続時間を算出する手段、第４条件テーブルを参照し、継続時間を算出する手段が算出した継続時間に対応する第１コンテンツを決定する手段、として機能させることができる。
【０２３１】
また、上記手段は、コンテンツ配信サーバ２００にて実施させることもできる。すなわち、携帯電話機１００から第１時刻あるいは継続時間をコンテンツ配信サーバ２００に送信し、コンテンツ配信サーバ２００にて第４条件テーブルを参照して第１コンテンツを決定する構成とすることもできる。
【０２３２】
この構成によれば、利用者６０がアプリケーションプログラムを継続して利用している場合に、前回利用時から今回利用時までの間隔すなわち継続時間に応じてコンテンツを選択することが可能となる。
【０２３３】
また、携帯端末格納プログラムにおいて、第１コンテンツまたは第２コンテンツをランダムに抽選決定するための乱数抽選テーブルを含むことができ、コンピュータ（携帯電話機１００のＣＰＵ１０２）を、第１操作を受け付ける手段または第２操作を受け付ける手段が第１操作および第２操作を受け付けたとき、乱数抽選テーブルを参照し、ランダムに抽選決定されたコンテンツを第１コンテンツまたは第２コンテンツとして決定する手段として機能させることができる。
【０２３４】
また、上記手段は、コンテンツ配信サーバ２００にて実施させることもできる。すなわち、携帯電話機１００で第１操作または第２操作を受け付けたとき、その旨をコンテンツ配信サーバ２００に通知し、コンテンツ配信サーバ２００にて乱数抽選テーブルを参照し、乱数抽選決定されたコンテンツを第１コンテンツまたは第２コンテンツとして決定してもよい。
乱数抽選テーブルを設けることにより、各時刻および各時間に予め準備されている数のコンテンツをランダムに割り当てることができるので、コンテンツ総数が少なくても、利用者には多彩なコンテンツが提供されているように感じさせることができる。コンテンツ総数を少なく抑えることができるので、コンテンツ作成費のコストを削減することができる。
【０２３５】
上記実施形態において、２回のキー操作の時刻、経過時間および継続時間に応じて各コンテンツを決定する構成としたが、これに限定されない。たとえば、複数回のキー操作の時刻および各時間を組み合わせた条件としてコンテンツを決定することもできる。
【図面の簡単な説明】
【０２３６】
【図１】本発明の実施の形態に係るコンテンツ配信システムの構成を示す概略ブロック図である。
【図２】本実施形態の携帯電話機のハードウェア構成を示すブロック図である。
【図３】本実施形態のアプリケーションプログラムを携帯電話機で実行した時の画面推移を示す図である。
【図４】本実施形態のコンテンツ配信サーバの構成を示す機能ブロック図である。
【図５】図４の利用情報データベースに記憶される利用者情報の構造の一例を示す図である。
【図６】図４の利用情報データベースに記憶される利用状況記録の構造の一例を示す図である。
【図７】本実施形態の携帯電話機に表示されるコンテンツ選択メニュー画面の一例を示す図である。
【図８】図４のアプリ情報テーブルの構造の一例を示す図である。
【図９】本実施形態の携帯電話機の構成を示す機能ブロック図である。
【図１０】図９の携帯電話機のユーザ情報記憶部の構造の一例を示す図である。
【図１１】図９の携帯電話機の対応テーブルの構造の一例を示す図である。
【図１２】図９の携帯電話機の対応テーブルの構造の他の例を示す図である。
【図１３】図９の携帯電話機のアプリ実行部の構造の詳細を示す機能ブロック図である。
【図１４】本実施形態のコンテンツ配信システムの動作の一例を示すフローチャートである。
【図１５】図１４のステップＳ１１５における広告コンテンツ実行時の詳細フローを示すフローチャートである。
【図１６】本実施形態の携帯電話機のアプリ実行部の部分構成を示す機能ブロック図である。
【図１７】本実施形態のコンテンツ配信システムの動作の一例を示すフローチャートである。
【図１８】本発明の実施の形態に係るコンテンツ配信システムの構成を示す機能ブロック図である。
【図１９】図４の配信テーブルの構造の一例を示す図である。
【図２０】図１８のコンテンツ情報テーブルの構造の一例を示す図である。
【図２１】本実施形態のコンテンツ配信システムの動作の一例を示すフローチャートである。
【図２２】本発明の実施の形態に係るコンテンツ配信システムの構成を示すブロック図である。
【図２３】本実施形態のアプリケーションプログラムを携帯電話機で実行した時の画面推移を示す図である。
【図２４】本実施形態のコンテンツ配信システムの構成を示す機能ブロック図である。
【図２５】本実施形態の配信テーブルの他の例を示す図である。
【図２６】本実施形態のコンテンツ情報テーブルの構造の一例を示す図である。
【図２７】本実施形態のコンテンツ配信システムの動作の一例を示すフローチャートである。
【図２８】本発明の実施の形態に係るコンテンツ配信システムにおける、アプリケーションプログラムの一例を説明するための図である。
【図２９】本実施形態のコンテンツ配信システムの構成を示す機能ブロック図である。
【図３０】本実施形態の時間記録部の構造の一例を示す図である。
【図３１】本実施形態のインセンティブテーブルの構造の一例を示す図である。
【図３２】本実施形態のポイント記憶部の構造の一例を示す図である。
【図３３】本実施形態のアプリケーションプログラムを携帯電話機にて実行したときのコンテンツ配信システムの動作の一例を示すフローチャートである。
【図３４】図３３の続きを示すフローチャートである。
【図３５】本発明の実施の形態に係るコンテンツ配信システムの構成を示すブロック図である。
【図３６】本実施形態のアプリケーションプログラムを携帯電話機で実行した時の画面推移を示す図である。
【図３７】本実施形態のアプリケーションプログラムを携帯電話機で実行した時の画面推移を示す図である。
【図３８】本実施形態のコンテンツ配信サーバの要部構成を示す機能ブロック図である。
【図３９】本実施形態のペイバックテーブルの構造の一例を示す図である。
【図４０】本実施形態のコンテンツ情報テーブルの他の例を示す図である。
【図４１】本実施形態のコンテンツ配信システムの動作の一例を示すフローチャートである。
【図４２】図４１の続きを示すフローチャートである。
【図４３】本発明の実施の形態に係るコンテンツ配信システムにおいて、携帯電話機が実行するアプリケーションプログラムの一例である「待ち合わせ占い」を説明するための図である。
【図４４】本実施形態の携帯電話機の要部構成を示す機能ブロック図である。
【図４５】本実施形態の利用状況記録部の構造の一例を示す図である。
【図４６】本実施形態のコンテンツＣを決定する際に使用する対応テーブルの構造の一例を示す図である。
【図４７】本実施形態のコンテンツ配信システムにおける「たばこ占い」を説明するための図である。
【符号の説明】
【０２３７】
１  コンテンツ配信システム
１０  コンテンツ記憶部
２０  ネットワーク
２２  基地局
３０  アプリ格納部
３２  コンテンツＡ格納部
３４  コンテンツＢ格納部
３６  コンテンツＣ格納部
３８  広告コンテンツ格納部
４０  配信テーブル格納部
４２  配信テーブル
４３  配信テーブル
５０  コンテンツ選択メニュー画面
６０  利用者
８０  第１コンテンツ画面
８２  メインコンテンツ表示部
８４  開始ボタン
８８  第２コンテンツ画面
９０  メインコンテンツ表示部
９２  ＰＲ画像表示部
９４  終了ボタン
９６  第３コンテンツ画面
９８  メインコンテンツ表示部
１００  携帯電話機
１０２  ＣＰＵ
１０４  アンテナ
１０６  無線通信部
１０８  ＲＯＭ
１１０  ＲＡＭ
１１２  計時部
１１４  操作キー
１１６  操作受付部
１１８  ＬＣＤ
１２０  ＬＥＤ
１２２  表示制御部
１２４  スピーカ
１２６  音声出力制御部
１２８  振動部
１３０  振動制御部
１３２  ＧＰＳ受信部
１３４  バス
１４０  インタフェース部
１４２  ユーザ情報受付部
１４４  ユーザ情報記憶部
１４６  アプリ選択受付部
１４８  アプリダウンロード要求部
１５０  アプリダウンロード部
１６０  格納部
１６２  アプリ格納部
１６４  コンテンツＡ格納部
１６６  コンテンツＢ格納部
１６８  コンテンツＣ格納部
１７０  広告コンテンツ格納部
１７２、１７４、１７５、１７６  対応テーブル
１７８  アプリ起動指示受付部
１８０  アプリ実行部
１８２  第１操作受付部
１８４  決定部
１８６  コンテンツ実行部
１８８  第２操作受付部
１９０  アクセス受付部
１９２  判断部
１９４  ウェブアクセス部
１９６  メール送信処理部
１９８  発呼処理部
２００  コンテンツ配信サーバ
２０２  インタフェース部
２０４  アプリダウンロード要求受信部
２０６  ユーザ登録部
２１０  利用者データベース
２１２  利用者情報
２１４  利用状況記録
２１６  ユーザ認証部
２１８  コンテンツ抽出部
２２０  アプリ情報テーブル
２２０  配信条件テーブル
２２２  アプリ配信部
２３０  コンテンツ要求受信部
２３２  コンテンツ決定部
２３４  コンテンツ配信部
２３６  コンテンツ情報テーブル
２３８  動画要求部
２５０  コンテンツ要求受信部
２５２  第１時刻受信部
２５４  第２時刻受信部
２５６  利用条件受信部
２５７  検索条件受信部
２５８  時間記録部
２６０  時間算出部
２６２  判定部
２６４  経路情報データベース
２６６  インセンティブ付与部
２６８  インセンティブテーブル
２７０  ポイント記憶部
２８０  検索部
２８２  店舗情報データベース
２８４  ペイバック料金換算部
２８６  ペイバックテーブル
２８８  クーポン発行部
３００  アプリ実行部
３０２  位置情報取得部
３０４  コンテンツ要求部
３０６  コンテンツダウンロード部
３０８  コンテンツ実行部
３２０  動画コンテンツ受信部
３２２  バッファ
３２４  デコーダ
３５０  利用条件受付部
３５２  コンテンツ要求部
３６０  検索条件受付部
４００  ストリーミングサーバ
４１０  動画コンテンツ記憶部
４２０  第２コンテンツ画面
４２２  イメージ動画表示部
４２４  ＰＲ画像表示部
４３０  インタフェース部
４３２  動画コンテンツ要求受信部
４３４  コンテンツ情報テーブル
４３５  動画用コンテンツ情報テーブル
４３６  動画コンテンツ読出部
４３８  バッファ
４４０  エンコーダ
４４２  ストリーミング配信部
４６０  エンコーダ
４６２  カメラ
４７０  ネットワーク
５００  利用条件入力画面
５０２  利用交通機関選択欄
５０４  出発駅入力欄
５０６  到着駅入力欄
５０８  確定ボタン
５１０  経路確認画面
５１２  経路表示部
５１４  ＯＫボタン
５２０  開始画面
５２２  経路表示部
５２４  乗車ボタン
５３０  第２コンテンツ画面
５３２  イメージ動画表示部
５３４  ＰＲ画像表示部
５３６  下車ボタン
５４１  発呼処理
５４３  メーラー起動処理
５４５  ウェブページ閲覧処理
５５０  第３コンテンツ画面
５５２  判定結果表示部
５５４  獲得ポイント表示部
５５６  累計ポイント表示部
６００  第２コンテンツ画面
６０２  イメージ動画表示部
６０４  ＰＲ動画表示部
６１０  検索条件入力画面
６１２  エリア選択欄
６１４  開催日入力欄
６１６  開始時刻入力欄
６１８  人数入力欄
６２０  ジャンル選択欄
６２２  予算選択欄
６２４  検索開始ボタン
６３０  第１検索結果店舗紹介画面
６３２  バナー広告部
６３４  イメージ動画表示部
６３６  動画表示部
６３８  決定ボタン
６４０  戻るボタン
６４２  次へボタン
６５０  第２検索結果店舗紹介画面
６５２  前へボタン
６６０  発呼指示
６６２  発呼処理
６７０  メール指示
６７２  メール送信処理
６７４  宛先
６７６  件名
６７８  本文
６８０  第３コンテンツ画面
６８２  経過時間表示部
６８４  ペイバック料金表示部
６９０  割引クーポン画面
７１０  待ち合わせ占い画面７１０
７２０  条件入力画面
７２２  選択肢ラジオボタン
７２４  条件入力指示ボタン
７３０  第１コンテンツ表示画面
７３２  広告バナー
７３４  イメージコンテンツ表示部
７３６  広告コンテンツ表示部
７３８  確定指示ボタン
７４０  第２コンテンツ表示画面
７４２  結果コンテンツ表示部
７５０  利用状況記録部
８１０  開始画面
８１２  開始ボタン
８２０  終了受付画面
８２２  メインコンテンツ表示部
８２４  広告コンテンツ表示部
８２６  終了ボタン
８３０  結果画面
８３２  本数表示部
８３４  経過時間表示部
８３６  診断結果表示部
８３８  動画表示部
【図１】
0004495099.tif 000002
【図２】
0004495099.tif 000003
【図３】
0004495099.tif 000004
【図４】
0004495099.tif 000005
【図５】
0004495099.tif 000006
【図６】
0004495099.tif 000007
【図７】
0004495099.tif 000008
【図８】
0004495099.tif 000009
【図９】
0004495099.tif 000010
【図１０】
0004495099.tif 000011
【図１１】
0004495099.tif 000012
【図１２】
0004495099.tif 000013
【図１３】
0004495099.tif 000014
【図１４】
0004495099.tif 000015
【図１５】
0004495099.tif 000016
【図１６】
0004495099.tif 000017
【図１７】
0004495099.tif 000018
【図１８】
0004495099.tif 000019
【図１９】
0004495099.tif 000020
【図２０】
0004495099.tif 000021
【図２１】
0004495099.tif 000022
【図２２】
0004495099.tif 000023
【図２３】
0004495099.tif 000024
【図２４】
0004495099.tif 000025
【図２５】
0004495099.tif 000026
【図２６】
0004495099.tif 000027
【図２７】
0004495099.tif 000028
【図２８】
0004495099.tif 000029
【図２９】
0004495099.tif 000030
【図３０】
0004495099.tif 000031
【図３１】
0004495099.tif 000032
【図３２】
0004495099.tif 000033
【図３３】
0004495099.tif 000034
【図３４】
0004495099.tif 000035
【図３５】
0004495099.tif 000036
【図３６】
0004495099.tif 000037
【図３７】
0004495099.tif 000038
【図３８】
0004495099.tif 000039
【図３９】
0004495099.tif 000040
【図４０】
0004495099.tif 000041
【図４１】
0004495099.tif 000042
【図４２】
0004495099.tif 000043
【図４３】
0004495099.tif 000044
【図４４】
0004495099.tif 000045
【図４５】
0004495099.tif 000046
【図４６】
0004495099.tif 000047
【図４７】
0004495099.tif 000048